(57)【特許請求の範囲】
【請求項１】
フレキシブル帯域幅キャリアシステムの周波数間測定のための方法であって、
ユーザ機器で、２つ以上の異なる帯域幅キャリアに対して周波数間測定を容易にするように構成された１つまたは複数のパラメータを識別することと、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して１つまたは複数の周波数間測定を実行するために、前記１つまたは複数の識別されたパラメータを使用することと
を備え、
前記１つまたは複数の識別されたパラメータのうち少なくとも１つは、前記２つ以上の異なる帯域幅キャリアの各々のために使用されるのと同じパラメータである、方法。
【請求項２】
前記１つまたは複数のパラメータを識別することは、
前記２つ以上の異なる帯域幅キャリアに対して前記周波数間測定を容易にするために、１つまたは複数のセル探索コヒーレント累積長を低減することによって前記１つまたは複数のパラメータを識別することを備える、請求項１に記載の方法。
【請求項３】
前記１つまたは複数のパラメータを識別することは、
前記２つ以上の異なる帯域幅キャリアに対して前記周波数間測定を容易にするために、１つまたは複数のセル探索非コヒーレント累積長を低減するによって前記１つまたは複数のパラメータを識別することを備える、請求項１に記載の方法。
【請求項４】
前記１つまたは複数のパラメータを識別することは、
前記２つ以上の異なる帯域幅キャリアに対して前記周波数間測定を容易にするために、送信ギャップパターンの繰り返しの増加量を受信することによって前記１つまたは複数のパラメータを識別することを備える、請求項１に記載の方法。
【請求項５】
前記１つまたは複数のパラメータを識別することは、
前記２つ以上の異なる帯域幅キャリアに対して前記周波数間測定を容易にするために、送信ギャップ長の増大を受信することによって前記１つまたは複数のパラメータを識別することを備える、請求項１に記載の方法。
【請求項６】
前記１つまたは複数のパラメータを識別することは、
前記２つ以上の異なる帯域幅キャリアに対して前記周波数間測定を容易にするために、ウィンドウサイズを縮小することによって前記１つまたは複数のパラメータを識別することを備える、請求項１に記載の方法。
【請求項７】
前記ユーザ機器で、通常帯域幅キャリアシステムのための１つまたは複数の圧縮されたギャップ構成に対応する、フレキシブル帯域幅キャリアシステムのために最適化される１つまたは複数の圧縮されたギャップ構成を作成することをさらに備える、請求項１に記載の方法。
【請求項８】
前記ユーザ機器で、通常帯域幅キャリアシステムのための１つまたは複数の圧縮されたギャップ構成に対応する、フレキシブル帯域幅キャリアシステムのために最適化される１つまたは複数の圧縮されたギャップ構成を記憶することをさらに備える、請求項１に記載の方法。
【請求項９】
前記ユーザ機器で、通常セルを探索するための、基地局によって送信された１つまたは複数の圧縮されたギャップ構成を、１つまたは複数のフレキシブル帯域幅セルのために最適化される１つまたは複数の他の圧縮されたギャップ構成にマップし、記憶することをさらに備える、請求項１に記載の方法。
【請求項１０】
前記１つまたは複数のパラメータは、少なくとも１つまたは複数の圧縮モードパラメータ、タイミング情報、または探索パラメータを含む、請求項１に記載の方法。
【請求項１１】
前記帯域幅キャリアのうち少なくとも１つは、通常帯域幅キャリアである、請求項１に記載の方法。
【請求項１２】
前記帯域幅キャリアのうち少なくとも１つは、近接セル内の前記フレキシブル帯域幅キャリアよりも高い帯域幅をもつ、サービングセル内のフレキシブル帯域幅キャリアを含む、請求項１に記載の方法。
【請求項１３】
前記周波数間測定は、接続モードにおいて実行される、請求項１に記載の方法。
【請求項１４】
前記１つまたは複数の識別されたパラメータを使用することは、
前記２つ以上の異なる帯域幅キャリアに対して前記周波数間測定を容易にするために、前記１つまたは複数の識別されたパラメータのうち別個のパラメータを使用することを備える、請求項１に記載の方法。
【請求項１５】
前記別個のパラメータは、同じ時間に、または別個の時間に使用されるように構成される、請求項１４に記載の方法。
【請求項１６】
前記２つ以上の異なる帯域幅キャリアに対して前記周波数間測定を容易にするために、無効送信ギャップパターン識別子を使用することをさらに備える、請求項１４に記載の方法。
【請求項１７】
レガシーユーザ機器を識別するために、前記無効送信ギャップパターン識別子を使用することをさらに備える、請求項１６に記載の方法。
【請求項１８】
前記１つまたは複数の識別されたパラメータを使用することは、
前記２つ以上の異なる帯域幅キャリアに対して前記周波数間測定を容易にするために、前記１つまたは複数の識別されたパラメータのうち同じ１つまたは複数のパラメータを使用することを備える、請求項１に記載の方法。
【請求項１９】
前記１つまたは複数のパラメータを基地局から受信することをさらに備える、請求項１に記載の方法。
【請求項２０】
前記１つまたは複数のパラメータを識別することは、
前記ユーザ機器の記憶媒体に記憶された、パラメータのセットから前記１つまたは複数のパラメータを識別することを備える、請求項１に記載の方法。
【請求項２１】
前記１つまたは複数のパラメータを使用することは、
通常帯域幅キャリアに対して、および前記フレキシブル帯域幅キャリアに対して、前記周波数間測定を容易にするために、前記１つまたは複数の識別されたパラメータのうち同じ１つまたは複数のパラメータを使用することを備える、請求項１に記載の方法。
【請求項２２】
前記２つ以上の異なる帯域幅キャリアのうち少なくとも１つに対して前記周波数間測定を実行するとき、膨張時間で時刻ソースを稼動することをさらに備える、請求項１に記載の方法。
【請求項２３】
２つ以上の異なる帯域幅キャリアに対して周波数間測定を容易にするように構成された１つまたは複数のパラメータを識別するための手段と、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して１つまたは複数の周波数間測定を実行するために、前記１つまたは複数の識別されたパラメータを使用するための手段と
を備え、
前記１つまたは複数の識別されたパラメータのうち少なくとも１つは、前記２つ以上の異なる帯域幅キャリアの各々のために使用されるのと同じパラメータである、ワイヤレス通信システム。
【請求項２４】
前記１つまたは複数のパラメータを識別するための前記手段は、
前記２つ以上の異なる帯域幅キャリアに対して前記周波数間測定を容易にするために、１つまたは複数のセル探索コヒーレント累積長を低減するための手段、
前記２つ以上の異なる帯域幅キャリアに対して前記周波数間測定を容易にするために、１つまたは複数のセル探索非コヒーレント累積長を低減するための手段、
前記２つ以上の異なる帯域幅キャリアに対して前記周波数間測定を容易にするために、送信ギャップパターンの繰り返しの量を増大するための手段、
前記２つ以上の異なる帯域幅キャリアに対して前記周波数間測定を容易にするために、送信ギャップの長さを増大させるための手段、または
前記２つ以上の異なる帯域幅キャリアに対して前記周波数間測定を容易にするために、ウィンドウサイズを縮小するための手段
のうち少なくとも１つを備える、請求項２３に記載のワイヤレス通信システム。
【請求項２５】
前記１つまたは複数の識別されたパラメータを使用するための前記手段は、
前記２つ以上の異なる帯域幅キャリアに対して前記周波数間測定を容易にするために、前記１つまたは複数の識別されたパラメータのうち別個のパラメータを使用するための手段を備える、請求項２３に記載のワイヤレス通信システム。
【請求項２６】
前記１つまたは複数の識別されたパラメータを使用するための前記手段は、
前記２つ以上の異なる帯域幅キャリアに対して前記周波数間測定を容易にするために、前記１つまたは複数の識別されたパラメータのうち同じ１つまたは複数のパラメータを使用するための手段を備える、請求項２３に記載のワイヤレス通信システム。
【請求項２７】
前記１つまたは複数のパラメータが基地局から前記１つまたは複数のパラメータを受信するための手段、または
前記ワイヤレス通信システムの記憶媒体に記憶された、パラメータのセットから前記１つまたは複数のパラメータを識別するための手段
のうち少なくとも１つを備える、請求項２３に記載のワイヤレス通信システム。
【請求項２８】
メモリと通信可能に結合された少なくとも１つのプロセッサを備えるワイヤレス通信デバイスであって、前記メモリが実行可能コードを備え、前記実行可能コードは、前記少なくとも１つのプロセッサによって実行されると、前記少なくとも１つのプロセッサに、
２つ以上の異なる帯域幅キャリアに対して周波数間測定を容易にするように構成された１つまたは複数のパラメータを識別することと、ここで前記帯域幅キャリアのうち少なくとも１つは、通常帯域幅キャリアに対して削減帯域幅を有するフレキシブル帯域幅キャリアである、
前記２つ以上の異なる帯域幅キャリアに対して１つまたは複数の周波数間測定を実行するために、前記１つまたは複数の識別されたパラメータを使用することと
を行わせ、
前記１つまたは複数の識別されたパラメータのうち少なくとも１つは、前記２つ以上の異なる帯域幅キャリアの各々のために使用されるのと同じパラメータである、ワイヤレス通信デバイス。
【請求項２９】
前記実行可能コードは、前記少なくとも１つのプロセッサに、
前記２つ以上の異なる帯域幅キャリアに対して前記周波数間測定を容易にするために、１つまたは複数のセル探索コヒーレント累積長を低減すること、
前記２つ以上の異なる帯域幅キャリアに対して前記周波数間測定を容易にするために、１つまたは複数のセル探索非コヒーレント累積長を低減すること、
前記２つ以上の異なる帯域幅キャリアに対して前記周波数間測定を容易にするために、送信ギャップパターンの繰り返しの量を増大すること、
前記２つ以上の異なる帯域幅キャリアに対して前記周波数間測定を容易にするために、送信ギャップの長さを増大すること、または
前記２つ以上の異なる帯域幅キャリアに対して前記周波数間測定を容易にするために、ウィンドウサイズを縮小すること
のうち少なくとも１つを実行させる、請求項２８に記載のワイヤレス通信デバイス。
【請求項３０】
前記実行可能コードは、前記少なくとも１つのプロセッサに、
前記２つ以上の異なる帯域幅キャリアに対して前記周波数間測定を容易にするために、前記１つまたは複数の識別されたパラメータのうち別個のパラメータを使用することを行わせる、請求項２８に記載のワイヤレス通信デバイス。
【請求項３１】
前記実行可能コードは、前記少なくとも１つのプロセッサに、
前記２つ以上の異なる帯域幅キャリアに対して前記周波数間測定を容易にするために、前記１つまたは複数の識別されたパラメータのうち同じ１つまたは複数のパラメータを使用すること
を行わせる、請求項２８に記載のワイヤレス通信デバイス。
【請求項３２】
前記実行可能コードは、前記少なくとも１つのプロセッサに、
前記１つまたは複数のパラメータが基地局から送信されると、前記１つまたは複数のパラメータを受信すること、または
前記１つまたは複数のパラメータが前記ワイヤレス通信デバイスの記憶媒体に記憶されると、前記１つまたは複数のパラメータを判断すること
のうち少なくとも１つを実行させる、請求項２８に記載のワイヤレス通信デバイス。
【請求項３３】
ユーザ機器によって実行されるコードを備え、フレキシブル帯域幅キャリアシステムの周波数間測定のためのコンピュータプログラムであって、
前記コードは、 前記ユーザ機器で、２つ以上の異なる帯域幅キャリアに対して周波数間測定を容易にするように構成された１つまたは複数のパラメータを識別するように構成されたコードと、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して１つまたは複数の周波数間測定を実行するために、前記１つまたは複数の識別されたパラメータを使用するように構成されたコードと
を備え、
前記１つまたは複数の識別されたパラメータのうち少なくとも１つは、前記２つ以上の異なる帯域幅キャリアの各々のために使用されるのと同じパラメータである、コンピュータプログラム。
【請求項３４】
前記コードは、
前記２つ以上の異なる帯域幅キャリアに対して前記周波数間測定を容易にするために、１つまたは複数のセル探索コヒーレント累積長を低減するように構成されたコード、
前記２つ以上の異なる帯域幅キャリアに対して前記周波数間測定を容易にするために、１つまたは複数のセル探索非コヒーレント累積長を低減するように構成されたコード、
前記２つ以上の異なる帯域幅キャリアに対して前記周波数間測定を容易にするために、送信ギャップパターンの繰り返しの量を増大するように構成されたコード、
前記２つ以上の異なる帯域幅キャリアに対して前記周波数間測定を容易にするために、送信ギャップの長さを増大するように構成されたコード、または
前記２つ以上の異なる帯域幅キャリアに対して前記周波数間測定を容易にするために、ウィンドウサイズを縮小するように構成されたコード
のうち少なくとも１つをさらに備える、請求項３３に記載のコンピュータプログラム。
【請求項３５】
前記コードは、
前記２つ以上の異なる帯域幅キャリアに対して前記周波数間測定を容易にするために、前記１つまたは複数の識別されたパラメータのうち別個のパラメータを使用するように構成されたコード
をさらに備える、請求項３３に記載のコンピュータプログラム。
【請求項３６】
前記コードは、
前記２つ以上の異なる帯域幅キャリアに対して前記周波数間測定を容易にするために、前記１つまたは複数の識別されたパラメータのうち同じ１つまたは複数のパラメータを使用するように構成されたコード
をさらに備える、請求項３３に記載のコンピュータプログラム。
【請求項３７】
前記コードは、
前記１つまたは複数のパラメータが基地局から送信されると、前記１つまたは複数のパラメータを受信するように構成されたコード、または
前記１つまたは複数のパラメータが前記ユーザ機器の記憶媒体に記憶されると、前記１つまたは複数のパラメータを判断するように構成されたコードの
うち少なくとも１つをさらに備える、請求項３３に記載のコンピュータプログラム。
【請求項３８】
フレキシブル帯域幅キャリアシステムの周波数間測定のための方法であって、
２つ以上の異なる帯域幅キャリアに対して周波数間測定を容易にするように構成された１つまたは複数のパラメータを識別することと、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信することと
を備え、
前記１つまたは複数の識別されたパラメータのうち少なくとも１つは、前記２つ以上の異なる帯域幅キャリアの各々のために使用されるのと同じパラメータである、方法。
【請求項３９】
前記１つまたは複数のパラメータを識別することは、
前記２つ以上の異なる帯域幅キャリアに対して前記周波数間測定を容易にするために、１つまたは複数のセル探索コヒーレント累積長を低減することによって前記１つまたは複数のパラメータを識別することを備える、請求項３８に記載の方法。
【請求項４０】
前記１つまたは複数のパラメータを識別することは、
前記２つ以上の異なる帯域幅キャリアに対して前記周波数間測定を容易にするために、１つまたは複数の非コヒーレント累積長を低減することによって前記１つまたは複数のパラメータを識別することを備える、請求項３８に記載の方法。
【請求項４１】
前記１つまたは複数のパラメータを識別することは、
前記２つ以上の異なる帯域幅キャリアに対して前記周波数間測定を容易にするために、送信ギャップパターンの繰り返しの量を増大させることによって前記１つまたは複数のパラメータを識別することを備える、請求項３８に記載の方法。
【請求項４２】
前記１つまたは複数のパラメータを識別することは、
前記２つ以上の異なる帯域幅キャリアに対して前記周波数間測定を容易にするために、送信ギャップの長さを増大することによって前記１つまたは複数のパラメータを識別することを備える、請求項３８に記載の方法。
【請求項４３】
前記１つまたは複数のパラメータを識別することは、
前記２つ以上の異なる帯域幅キャリアに対して前記周波数間測定を容易にするために、ウィンドウサイズを縮小することによって前記１つまたは複数のパラメータを識別することを備える、請求項３８に記載の方法。
【請求項４４】
前記１つまたは複数の識別されたパラメータは、少なくとも１つまたは複数の圧縮モードパラメータ、タイミング情報、または探索パラメータを含む、請求項３８に記載の方法。
【請求項４５】
前記帯域幅キャリアのうち前記少なくとも１つは、通常帯域幅キャリアである、請求項３８に記載の方法。
【請求項４６】
前記１つまたは複数の識別されたパラメータのうち別個のパラメータは、前記２つ以上の異なる帯域幅キャリアに対して前記周波数間測定を容易にするように構成される、請求項３８に記載の方法。
【請求項４７】
前記１つまたは複数の識別されたパラメータのうち同じパラメータは、前記２つ以上の異なる帯域幅キャリアに対して前記周波数間測定を容易にするように構成される、請求項３８に記載の方法。
【請求項４８】
前記１つまたは複数のパラメータを識別することは、
記憶媒体に記憶された、パラメータのセットから前記１つまたは複数のパラメータを識別することを備える、請求項３８に記載の方法。
【請求項４９】
前記１つまたは複数の識別されたパラメータのうち同じパラメータは、通常帯域幅キャリアに対して、および前記フレキシブル帯域幅キャリアに対して、前記周波数間測定を容易にするように構成される、請求項３８に記載の方法。
【請求項５０】
２つ以上の異なる帯域幅キャリアに対して周波数間測定を容易にするように構成された１つまたは複数のパラメータを識別するための手段と、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信するための手段と
を備え、
前記１つまたは複数の識別されたパラメータのうち少なくとも１つは、前記２つ以上の異なる帯域幅キャリアの各々のために使用されるのと同じパラメータである、ワイヤレス通信システム。
【請求項５１】
前記１つまたは複数のパラメータを識別するための前記手段は、
前記２つ以上の異なる帯域幅キャリアに対して前記周波数間測定を容易にするために、１つまたは複数のセル探索コヒーレント累積長を低減するための手段、
前記２つ以上の異なる帯域幅キャリアに対して前記周波数間測定を容易にするために、１つまたは複数のセル探索非コヒーレント累積長を低減するための手段、
前記２つ以上の異なる帯域幅キャリアに対して前記周波数間測定を容易にするために、送信ギャップパターンの繰り返しの量を増大するための手段、
前記２つ以上の異なる帯域幅キャリアに対して前記周波数間測定を容易にするために、送信ギャップの長さを増大するための手段、または
前記２つ以上の異なる帯域幅キャリアに対して前記周波数間測定を容易にするために、ウィンドウサイズを縮小するための手段
のうち少なくとも１つを備える、請求項５０に記載のワイヤレス通信システム。
【請求項５２】
前記１つまたは複数の識別されたパラメータのうち別個のパラメータは、前記２つ以上の異なる帯域幅キャリアに対して前記周波数間測定を容易にするように構成される、請求項５０に記載のワイヤレス通信システム。
【請求項５３】
前記１つまたは複数の識別されたパラメータのうち同じパラメータは、前記２つ以上の異なる帯域幅キャリアに対して前記周波数間測定を容易にするように構成される、請求項５０に記載のワイヤレス通信システム。
【請求項５４】
メモリと通信可能に結合された少なくとも１つのプロセッサを備えるワイヤレス通信デバイスであって、前記メモリが実行可能コードを備え、前記実行可能コードが前記少なくとも１つのプロセッサによって実行されると、前記少なくとも１つのプロセッサに、
２つ以上の異なる帯域幅キャリアに対して周波数間測定を容易にするように構成された１つまたは複数のパラメータを識別することと、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信することと
を行わせ、
前記１つまたは複数の識別されたパラメータのうち少なくとも１つは、前記２つ以上の異なる帯域幅キャリアの各々のために使用されるのと同じパラメータである、ワイヤレス通信デバイス。
【請求項５５】
前記実行可能コードは、前記少なくとも１つのプロセッサに、
前記２つ以上の異なる帯域幅キャリアに対して前記周波数間測定を容易にするために、１つまたは複数のセル探索コヒーレント累積長を低減すること、
前記２つ以上の異なる帯域幅キャリアに対して前記周波数間測定を容易にするために、１つまたは複数のセル探索非コヒーレント累積長を低減すること、
前記２つ以上の異なる帯域幅キャリアに対して前記周波数間測定を容易にするために、送信ギャップパターンの繰り返しの量を増大すること、
前記２つ以上の異なる帯域幅キャリアに対して前記周波数間測定を容易にするために、送信ギャップの長さを増大すること、または
前記２つ以上の異なる帯域幅キャリアに対して前記周波数間測定を容易にするために、ウィンドウサイズを縮小すること
のうち少なくとも１つを実行させる、請求項５４に記載のワイヤレス通信デバイス。
【請求項５６】
前記１つまたは複数の識別されたパラメータのうち別個のパラメータは、前記２つ以上の異なる帯域幅キャリアに対して前記周波数間測定を容易にするように構成される、請求項５４に記載のワイヤレス通信デバイス。
【請求項５７】
前記１つまたは複数の識別されたパラメータのうち同じパラメータは、前記２つ以上の異なる帯域幅キャリアに対して前記周波数間測定を容易にするように構成される、請求項５４に記載のワイヤレス通信デバイス。
【請求項５８】
少なくとも１つのプロセッサによって実行されるコードを備えるフレキシブル帯域幅キャリアシステムの周波数間測定のためのコンピュータプログラムであって、
前記コードは、
２つ以上の異なる帯域幅キャリアに対して前記周波数間測定を容易にするように構成された１つまたは複数のパラメータを識別するように構成されたコードと、ここで、前記帯域幅キャリアのうち少なくとも１つは、通常帯域幅キャリアに対して削減帯域幅を有するフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信するように構成されたコードと
を備え、
前記１つまたは複数の識別されたパラメータのうち少なくとも１つは、前記２つ以上の異なる帯域幅キャリアの各々のために使用されるのと同じパラメータである、コンピュータプログラム。
【請求項５９】
前記コードは、
前記２つ以上の異なる帯域幅キャリアに対して前記周波数間測定を容易にするために、１つまたは複数のセル探索コヒーレント累積長を低減するように構成されたコード、
前記２つ以上の異なる帯域幅キャリアに対して前記周波数間測定を容易にするために、１つまたは複数のセル探索非コヒーレント累積長を低減するように構成されたコード、
前記２つ以上の異なる帯域幅キャリアに対して前記周波数間測定を容易にするために、送信ギャップパターンの繰り返しの量を増大するように構成されたコード、
前記２つ以上の異なる帯域幅キャリアに対して前記周波数間測定を容易にするために、送信ギャップの長さを増大するように構成されたコード、または
前記２つ以上の異なる帯域幅キャリアに対して前記周波数間測定を容易にするために、ウィンドウサイズを縮小するように構成されたコード
のうち少なくとも１つをさらに備える、請求項５８に記載のコンピュータプログラム。
【請求項６０】
前記１つまたは複数の識別されたパラメータのうち別個のパラメータは、前記２つ以上の異なる帯域幅キャリアに対して前記周波数間測定を容易にするように構成される、請求項５８に記載のコンピュータプログラム。
【請求項６１】
前記１つまたは複数の識別されたパラメータのうち同じパラメータは、前記２つ以上の異なる帯域幅キャリアに対して前記周波数間測定を容易にするように構成される、請求項５８に記載のコンピュータプログラム。
【発明の詳細な説明】
【関連技術】
【０００１】
本特許出願は、本出願の譲受人に譲渡され、すべての目的のために参照により本明細書に明確に組み込まれる、２０１１年１２月９日に出願された「ＳＩＧＮＡＬ  ＣＡＰＡＣＩＴＹ  ＢＯＯＳＴＩＮＧ，  ＣＯＯＲＤＩＮＡＴＥＤ  ＦＯＲＷＡＲＤ  ＬＩＮＫ  ＢＬＡＮＫＩＮＧ  ＡＮＤ  ＰＯＷＥＲ  ＢＯＯＳＴＩＮＧ，  ＡＮＤ  ＲＥＶＥＲＳＥ  ＬＩＮＫ  ＴＨＲＯＵＧＨＰＵＴ  ＩＮＣＲＥＡＳＩＮＧ  ＦＯＲ  ＦＬＥＸＩＢＬＥ  ＢＡＮＤＷＩＤＴＨ  ＳＹＳＴＥＭＳ」と題する仮出願第６１／５６８，７４２号の優先権を主張する。本特許出願は、本出願の譲受人に譲渡され、すべての目的のために参照により本明細書に明確に組み込まれる、２０１２年７月１６日に出願された「ＣＯＭＰＲＥＳＳＥＤ  ＭＯＤＥ  ＭＥＡＳＵＲＥＭＥＮＴＳ  ＦＯＲ  ＦＬＥＸＩＢＬＥ  ＢＡＮＤＷＩＤＴＨ  ＳＹＳＴＥＭＳ，  ＤＥＶＩＣＥＳ，  ＡＮＤ  ＭＥＴＨＯＤＳ」と題する仮特許出願第６１／６７２，１８２号の優先権も主張する。
【背景技術】
【０００２】
ワイヤレス通信システムは、音声、ビデオ、パケットデータ、メッセージング、ブロードキャストなどのような様々なタイプの通信コンテンツを提供するために広く配備されている。これらのシステムは、利用可能なシステムリソース（たとえば、時間、周波数、および出力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００３】
サービスプロバイダは一般に、いくつかの地理的領域において排他的に使用するための周波数スペクトルのブロックを割り振られる。これらの周波数ブロックは概して、使われる多元接続技術とは関係なく、調整器によって割り当てられる。ほとんどの場合、これらのブロックは、チャネル帯域幅の整数倍ではなく、したがって、未使用のスペクトル部があり得る。ワイヤレスデバイスの使用が増すにつれ、このスペクトルの需要および価値も、概して高まっている。それにも関わらず、場合によっては、ワイヤレス通信システムは、割り振られたスペクトルの部分が、標準または通常波形に適合するのに十分には大きくないので、それらの部分を使用することができない。ＬＴＥ規格の開発者は、たとえば、この問題を認識しており、多くの異なるシステム帯域幅（たとえば、１．４、３、５、１０、１５および２０メガヘルツ（ＭＨｚ））をサポートすることを決定した。この決定により、問題への部分的解決法が提供され得る。フレキシブル帯域幅キャリアシステムは、これらの問題に対する別の解決法を提供することができる。ただし、フレキシブル帯域幅キャリアシステムに対して周波数間測定を行うときは、様々な問題が生じ得る。
【発明の概要】
【０００４】
通常帯域幅セル上の接続モードにあるユーザ機器（ＵＥ）が、別の通常帯域幅セルおよび１つもしくは複数のフレキシブル帯域幅セル上で、または複数のフレキシブル帯域幅周波数間セル上で周波数間測定を行うことをどのようにして通常帯域幅無線アクセスネットワークが可能にし得るかに関する問題に対処することができる方法、システム、およびデバイスが提供される。いくつかの実施形態は、（たとえば、プライマリおよびセカンダリ同期チャネル、すなわちＰ−ＳＣＨ、Ｓ−ＳＣＨならびにパイロットチャネル、すなわちＣＰＩＣＨに対して）探索プロシージャ中の周波数間フレキシブル帯域幅セル探索用にＵＥによって使われるコヒーレント長および／または非コヒーレント長を低減することで、通常帯域幅周波数間セルとフレキシブル帯域幅周波数間セルの両方を測定するための圧縮モードギャップ構成のセットを使用する。いくつかの実施形態は、場合（Ｐ−ＳＣＨ、Ｓ−ＳＣＨ、および／またはＣＰＩＣＨなど）によっては１つまたは複数の制御チャネルにおける電力を、コヒーレント長削減および／または非コヒーレント長削減による損失に対応するように増大させることを含む。いくつかの実施形態は、ＵＥにおける通常帯域幅測定に使われるのと同じセル探索パラメータを使うが、通常帯域幅セル探索とフレキシブル帯域幅セル探索の両方に対応するように圧縮モードギャップパラメータを修正する（たとえば、圧縮モードギャップ長を増大する）ことを含む。別の実施形態は、通常帯域幅測定用に圧縮モードギャップパラメータを維持するが、セル探索のコヒーレント累積中に探索ウィンドウサイズを削減することを含み得る。いくつかの実施形態では、ＵＥは、通常セル用の圧縮ギャップ構成を、フレキシブル帯域幅セル用に最適化され、ＵＥに記憶されている圧縮ギャップ構成にマップする。いくつかの実施形態は、上記実施形態のどの組合せも含む。いくつかの実施形態は、ユニバーサルモバイル通信システム（ＵＭＴＳ）などの通常帯域幅キャリアシステムおよび／またはフレキシブルＵＭＴＳ（Ｆ−ＵＭＴＳ）などのフレキシブル帯域幅キャリアシステムを使用する。
【０００５】
いくつかの実施形態は、通常帯域幅構成を最初に、およびフレキシブル帯域幅構成を第２にシグナリングし、両方をＵＥにおいて同時にアクティブ化すること、無効送信ギャップパターンシーケンス識別子（ＴＧＰＳＩ）を使ってフレキシブル帯域幅用の構成をシグナリングすること、ならびに／あるいは通常帯域幅セル用のあるセッティングをシグナリングし、通常帯域幅測定が完了した後、通常帯域幅用の構成を無効にし、フレキシブル帯域幅用の次の構成を構成することによって、通常帯域幅測定およびフレキシブル帯域幅測定など、または複数の異なるフレキシブル帯域幅測定など、異なる帯域幅測定用に、別個の圧縮モード測定構成を構成することができる。
【０００６】
フレキシブル帯域幅キャリアシステムは、フレキシブル波形を使用する、通常波形に適合するのに十分大きくない可能性があるスペクトル部分を使用し得るワイヤレス通信システムを伴い得る。フレキシブル帯域幅キャリアシステムは、時間（たとえば、フレーム持続時間）を膨張させ、または通常キャリア帯域幅に対してフレキシブル帯域幅キャリアシステムのチップレートをスケールダウンすることにより、通常キャリア帯域幅システムに対して生成することができる。いくつかの実施形態は、チップレートを拡張もしくはスケールアップし、またはフレキシブルキャリア帯域幅システムの時間（たとえば、フレーム持続時間）を削減することにより、フレキシブル波形の帯域幅を増大する。
【０００７】
いくつかの実施形態では、フレキシブル帯域幅キャリアシステムの周波数間測定のための方法は、ユーザ機器において、２つ以上の異なる帯域幅キャリアに対して周波数間測定を容易にするように構成された１つまたは複数のパラメータを識別することであって、帯域幅キャリアのうち少なくとも１つがフレキシブル帯域幅キャリアであることと、２つ以上の異なる帯域幅キャリアに対して１つまたは複数の周波数間測定を実行するのに、１つまたは複数の識別されたパラメータを使用することとを含む。１つまたは複数のパラメータを識別することは、２つ以上の異なる帯域幅キャリアに対して周波数間測定を容易にするために、１つまたは複数のセル探索コヒーレント累積長を低減することを含み得る。１つまたは複数のパラメータを識別することは、２つ以上の異なる帯域幅キャリアに対して周波数間測定を容易にするために、１つまたは複数の非コヒーレント累積長を低減することを含み得る。１つまたは複数のパラメータを識別することは、２つ以上の異なる帯域幅キャリアに対して周波数間測定を容易にするための、送信ギャップパターンの繰り返しの増加量を受信することを含み得る。１つまたは複数のパラメータを識別することは、２つ以上の異なる帯域幅キャリアに対して周波数間測定を容易にするための、送信ギャップ長の増大を受信することを含み得る。１つまたは複数のパラメータを識別することは、２つ以上の異なる帯域幅キャリアに対して周波数間測定を容易にするために、ウィンドウサイズを縮小することを含み得る。
【０００８】
いくつかの実施形態では、１つまたは複数のパラメータを識別することは、少なくとも、ＵＥにおいて、通常帯域幅キャリアシステム用の１つまたは複数の圧縮されたギャップ構成に対応する、フレキシブル帯域幅キャリアシステム用の１つまたは複数の圧縮されたギャップ構成を作成することをさらに含む。１つまたは複数のパラメータを識別することは、少なくとも、ＵＥにおいて、通常帯域幅キャリアシステム用の１つまたは複数の圧縮されたギャップ構成に対応する、フレキシブル帯域幅キャリアシステム用の１つまたは複数の圧縮されたギャップ構成を記憶することをさらに含み得る。１つまたは複数のパラメータを識別することは、少なくとも、ＵＥにおいて、通常セルを探索するための、基地局によって送信された１つまたは複数の圧縮されたギャップ構成を、１つまたは複数のフレキシブル帯域幅セル用の１つまたは複数の他の圧縮されたギャップ構成にマップし、記憶することをさらに含み得る。
【０００９】
いくつかの実施形態では、１つまたは複数のパラメータは、少なくとも１つまたは複数の圧縮モードパラメータ、タイミング情報、または探索パラメータを含む。帯域幅キャリアのうち少なくとも１つは通常帯域幅キャリアであり得る。帯域幅キャリアのうち少なくとも１つは、近接セル内のフレキシブル帯域幅キャリアよりも高い帯域幅をもつ、サービングセル内のフレキシブル帯域幅キャリアを含み得る。さらに、周波数間測定は、接続モードにおいて実行することができる。
【００１０】
いくつかの実施形態では、１つまたは複数の識別されたパラメータを使用することは、２つ以上の異なる帯域幅キャリアに対して周波数間測定を容易にするのに、１つまたは複数の識別されたパラメータのうち別個のパラメータを使用することを含む。別個のパラメータは、同じ時間に、または別個の時間に使用されるように構成され得る。１つまたは複数の識別されたパラメータを使用することは、２つ以上の異なる帯域幅キャリアに対して周波数間測定を容易にするために、無効送信ギャップパターン識別子を使用すること、および／またはレガシーユーザ機器を識別するのに無効送信ギャップパターン識別子を使用することを含み得る。
【００１１】
いくつかの実施形態では、１つまたは複数の識別されたパラメータを使用することは、２つ以上の異なる帯域幅キャリアに対して周波数間測定を容易にするのに、１つまたは複数の識別されたパラメータのうち同じ１つまたは複数のパラメータを使用することを含む。
【００１２】
いくつかの実施形態では、１つまたは複数のパラメータを識別することは、１つまたは複数のパラメータを受信することを含み、１つまたは複数のパラメータは基地局から送信される。１つまたは複数のパラメータを識別することは、１つまたは複数のパラメータを判断することを含んでよく、１つまたは複数のパラメータはユーザ機器の記憶媒体に記憶される。
【００１３】
いくつかの実施形態では、１つまたは複数のパラメータを使用することは、通常帯域幅キャリアに対して、およびフレキシブル帯域幅キャリアである帯域幅キャリアのうち少なくとも１つに対して、周波数間測定を容易にするために、１つまたは複数の識別されたパラメータのうち同じ１つまたは複数のパラメータを使用することを含む。
【００１４】
いくつかの実施形態では、２つ以上の異なる帯域幅キャリアのうち少なくとも１つに対して周波数間測定を実行するとき、時刻ソースが膨張時間で稼動される。
【００１５】
いくつかの実施形態では、ワイヤレス通信システムは、２つ以上の異なる帯域幅キャリアに対して周波数間測定を容易にするように構成された１つまたは複数のパラメータを識別するための手段であって、帯域幅キャリアのうち少なくとも１つがフレキシブル帯域幅キャリアである手段と、２つ以上の異なる帯域幅キャリアに対して１つまたは複数の周波数間測定を実行するために、１つまたは複数の識別されたパラメータを使用するための手段とを含む。１つまたは複数のパラメータを識別するための手段は、２つ以上の異なる帯域幅キャリアに対して周波数間測定を容易にするために、１つもしくは複数のセル探索コヒーレント累積長を低減するための手段、２つ以上の異なる帯域幅キャリアに対して周波数間測定を容易にするために、１つもしくは複数のセル探索非コヒーレント累積長を低減するための手段、２つ以上の異なる帯域幅キャリアに対して周波数間測定を容易にするために、送信ギャップパターンの繰り返しの量を増大し、もしくは増大量を受信するための手段、２つ以上の異なる帯域幅キャリアに対して周波数間測定を容易にするために、送信ギャップの長さを増大し、もしくは長さの増大を受信するための手段、または２つ以上の異なる帯域幅キャリアに対して周波数間測定を容易にするためにウィンドウサイズを縮小するための手段のうち少なくとも１つを含み得る。
【００１６】
いくつかの実施形態では、１つまたは複数の識別されたパラメータを使用するための手段は、２つ以上の異なる帯域幅キャリアに対して周波数間測定を容易にするのに、１つまたは複数の識別されたパラメータのうち別個のパラメータを使用するための手段を含む。１つまたは複数の識別されたパラメータを使用するための手段は、２つ以上の異なる帯域幅キャリアに対して周波数間測定を容易にするのに、１つまたは複数の識別されたパラメータのうち同じ１つまたは複数のパラメータを使用するための手段を含み得る。
【００１７】
いくつかの実施形態では、もう１つのパラメータを識別するための手段は、１つもしくは複数のパラメータが基地局から送信されるとき、１つもしくは複数のパラメータを受信するための手段、または１つもしくは複数のパラメータがワイヤレス装置の記憶媒体に記憶されるとき、１つもしくは複数のパラメータを判断するための手段のうち少なくとも１つを含む。
【００１８】
いくつかの実施形態では、ワイヤレス通信デバイスは、メモリと通信可能に結合された少なくとも１つのプロセッサを含み、メモリは実行可能コードを含み、コードは、少なくとも１つのプロセッサによって実行されると、少なくとも１つのプロセッサに、２つ以上の異なる帯域幅キャリアに対して周波数間測定を容易にするように構成された１つまたは複数のパラメータを識別させ、帯域幅キャリアのうち少なくとも１つはフレキシブル帯域幅キャリアであり、１つまたは複数の識別されたパラメータを使用して、２つ以上の異なる帯域幅キャリアに対して１つまたは複数の周波数間測定を実行させる。
【００１９】
いくつかの実施形態では、実行可能コードは、少なくとも１つのプロセッサに、２つ以上の異なる帯域幅キャリアに対して周波数間測定を容易にするために、１つもしくは複数のセル探索コヒーレント累積長を低減させること、２つ以上の異なる帯域幅キャリアに対して周波数間測定を容易にするために１つもしくは複数の非コヒーレント累積長を低減させること、２つ以上の異なる帯域幅キャリアに対して周波数間測定を容易にするために、送信ギャップパターンの繰り返しの量を増大させ、もしくは増大量を受信させること、２つ以上の異なる帯域幅キャリアに対して周波数間測定を容易にするために、送信ギャップの長さを増大させ、もしくは長さの増大を受信させること、または２つ以上の異なる帯域幅キャリアに対して周波数間測定を容易にするために、ウィンドウサイズを削減させることのうち少なくとも１つを実行させる。
【００２０】
いくつかの実施形態では、実行可能コードは、少なくとも１つのプロセッサに、２つ以上の異なる帯域幅キャリアに対して周波数間測定を容易にするのに、１つまたは複数の識別されたパラメータのうち別個のパラメータを使用させる。実行可能コードは、少なくとも１つのプロセッサに、２つ以上の異なる帯域幅キャリアに対して周波数間測定を容易にするのに、１つまたは複数の識別されたパラメータのうち同じ１つまたは複数のパラメータを使用させ得る。実行可能コードは、少なくとも１つのプロセッサに、１つもしくは複数のパラメータが基地局から送信されるとき、１つもしくは複数のパラメータを受信させること、または１つもしくは複数のパラメータがワイヤレス通信デバイスの記憶媒体に記憶されるとき、１つもしくは複数のパラメータを判断させることのうち少なくとも１つを実行させ得る。
【００２１】
いくつかの実施形態では、フレキシブル帯域幅キャリアシステムの周波数間測定のためのコンピュータプログラム製品は、ユーザ機器において、２つ以上の異なる帯域幅キャリアに対して周波数間測定を容易にするように構成された１つまたは複数のパラメータを識別するように構成されたコードであって、帯域幅キャリアのうち少なくとも１つがフレキシブル帯域幅キャリアであるコードと、１つまたは複数の識別されたパラメータを使用して、２つ以上の異なる帯域幅キャリアに対して１つまたは複数の周波数間測定を実行するように構成されたコードとを有する非一時的コンピュータ可読媒体を含む。
【００２２】
いくつかの実施形態では、非一時的コンピュータ可読媒体は、２つ以上の異なる帯域幅キャリアに対して周波数間測定を容易にするために、１つもしくは複数のセル探索コヒーレント累積長を低減するように構成されたコード、２つ以上の異なる帯域幅キャリアに対して周波数間測定を容易にするために１つもしくは複数の非コヒーレント累積長を低減するように構成されたコード、２つ以上の異なる帯域幅キャリアに対して周波数間測定を容易にするために、送信ギャップパターンの繰り返しの量を増大させ、もしくは量の増大を受信するように構成されたコード、２つ以上の異なる帯域幅キャリアに対して周波数間測定を容易にするために、送信ギャップの長さを増大させ、もしくは長さの増大を受信するように構成されたコード、または２つ以上の異なる帯域幅キャリアに対して周波数間測定を容易にするために、ウィンドウサイズを削減するように構成されたコードのうち少なくとも１つをさらに含む。
【００２３】
いくつかの実施形態では、非一時的コンピュータ可読媒体は、２つ以上の異なる帯域幅キャリアに対して周波数間測定を容易にするのに、１つまたは複数の識別されたパラメータのうち別個のパラメータを使用するように構成されたコードをさらに含む。非一時的コンピュータ可読媒体は、２つ以上の異なる帯域幅キャリアに対して周波数間測定を容易にするのに、１つまたは複数の識別されたパラメータのうち同じ１つまたは複数のパラメータを使用するように構成されたコードをさらに含む。非一時的コンピュータ可読媒体は、１つもしくは複数のパラメータが基地局から送信されるとき、１つもしくは複数のパラメータを受信するように構成されたコード、または１つもしくは複数のパラメータがワイヤレス通信デバイスの記憶媒体に記憶されるとき、１つもしくは複数のパラメータを判断するように構成されたコードのうち少なくとも１つをさらに含む。
【００２４】
いくつかの実施形態では、フレキシブル帯域幅キャリアシステムの周波数間測定のための方法は、２つ以上の異なる帯域幅キャリアに対して周波数間測定を容易にするように構成された１つまたは複数のパラメータを識別することであって、帯域幅キャリアのうち少なくとも１つがフレキシブル帯域幅キャリアであることと、２つ以上の異なる帯域幅キャリアに対して周波数間測定を容易にするのに、１つまたは複数の識別されたパラメータを１つまたは複数のユーザ機器に送信することとを含む。１つまたは複数のパラメータを識別することは、２つ以上の異なる帯域幅キャリアに対して周波数間測定を容易にするために、１つまたは複数のセル探索コヒーレント累積長を低減することを含み得る。１つまたは複数のパラメータを識別することは、２つ以上の異なる帯域幅キャリアに対して周波数間測定を容易にするために、１つまたは複数のセル探索非コヒーレント累積長を低減することを含み得る。１つまたは複数のパラメータを識別することは、２つ以上の異なる帯域幅キャリアに対して周波数間測定を容易にするための、送信ギャップパターンの繰り返しの量を増大させることを含み得る。１つまたは複数のパラメータを識別することは、２つ以上の異なる帯域幅キャリアに対して周波数間測定を容易にするための、送信ギャップ長を増大させることを含み得る。１つまたは複数のパラメータを識別することは、２つ以上の異なる帯域幅キャリアに対して周波数間測定を容易にするために、ウィンドウサイズを縮小することを含み得る。
【００２５】
いくつかの実施形態では、１つまたは複数の識別されたパラメータは、少なくとも１つまたは複数の圧縮モードパラメータ、タイミング情報、または探索パラメータを含む。帯域幅キャリアのうち少なくとも１つは通常帯域幅キャリアであり得る。
【００２６】
いくつかの実施形態では、１つまたは複数の識別されたパラメータのうち別個のパラメータは、２つ以上の異なる帯域幅キャリアに対して周波数間測定を容易にするように構成される。１つまたは複数の識別されたパラメータのうち同じパラメータは、２つ以上の異なる帯域幅キャリアに対して周波数間測定を容易にするように構成され得る。
【００２７】
いくつかの実施形態では、もう１つのパラメータを識別することは、１つまたは複数のパラメータを判断することを含み、１つまたは複数のパラメータは記憶媒体に記憶される。１つまたは複数の識別されたパラメータのうち同じパラメータは、通常帯域幅キャリアに対して、およびフレキシブル帯域幅キャリアである帯域幅キャリアのうち少なくとも１つに対して、周波数間測定を容易にするように構成され得る。
【００２８】
いくつかの実施形態では、ワイヤレス通信システムは、２つ以上の異なる帯域幅キャリアに対して周波数間測定を容易にするように構成された１つまたは複数のパラメータを識別するための手段であって、帯域幅キャリアのうち少なくとも１つがフレキシブル帯域幅キャリアである手段と、２つ以上の異なる帯域幅キャリアに対して周波数間測定を容易にするために、１つまたは複数の識別されたパラメータを１つまたは複数のユーザ機器に送信するための手段とを含む。
【００２９】
いくつかの実施形態では、１つまたは複数のパラメータを識別するための手段は、２つ以上の異なる帯域幅キャリアに対して周波数間測定を容易にするために、１つもしくは複数のセル探索コヒーレント累積長を低減するための手段、２つ以上の異なる帯域幅キャリアに対して周波数間測定を容易にするために、１つもしくは複数のセル探索非コヒーレント累積長を低減するための手段、２つ以上の異なる帯域幅キャリアに対して周波数間測定を容易にするために、送信ギャップパターンの繰り返しの量を増大させるための手段、２つ以上の異なる帯域幅キャリアに対して周波数間測定を容易にするために、送信ギャップの長さを増大させるための手段、または２つ以上の異なる帯域幅キャリアに対して周波数間測定を容易にするためにウィンドウサイズを縮小するための手段のうち少なくとも１つを含む。
【００３０】
いくつかの実施形態では、１つまたは複数の識別されたパラメータのうち別個のパラメータは、２つ以上の異なる帯域幅キャリアに対して周波数間測定を容易にするように構成される。１つまたは複数の識別されたパラメータのうち同じパラメータは、２つ以上の異なる帯域幅キャリアに対して周波数間測定を容易にするように構成され得る。
【００３１】
いくつかの実施形態では、ワイヤレス通信デバイスは、メモリと通信可能に結合された少なくとも１つのプロセッサを含み、メモリは実行可能コードを含み、コードは、少なくとも１つのプロセッサによって実行されると、少なくとも１つのプロセッサに、２つ以上の異なる帯域幅キャリアに対して周波数間測定を容易にするように構成された１つまたは複数のパラメータを識別させ、帯域幅キャリアのうち少なくとも１つはフレキシブル帯域幅キャリアであり、２つ以上の異なる帯域幅キャリアに対して周波数間測定を容易にするために、１つまたは複数の識別されたパラメータを１つまたは複数のユーザ機器に送信させる。
【００３２】
いくつかの実施形態では、実行可能コードは、少なくとも１つのプロセッサに、２つ以上の異なる帯域幅キャリアに対して周波数間測定を容易にするために、１つもしくは複数のセル探索コヒーレント累積長を低減させること、２つ以上の異なる帯域幅キャリアに対して周波数間測定を容易にするために１つもしくは複数のセル探索非コヒーレント累積長を低減させること、２つ以上の異なる帯域幅キャリアに対して周波数間測定を容易にするために、送信ギャップパターンの繰り返しの量を増大させること、２つ以上の異なる帯域幅キャリアに対して周波数間測定を容易にするために、送信ギャップの長さを増大させること、または２つ以上の異なる帯域幅キャリアに対して周波数間測定を容易にするために、ウィンドウサイズを削減させることのうち少なくとも１つを実行させる。
【００３３】
いくつかの実施形態では、１つまたは複数の識別されたパラメータのうち別個のパラメータは、２つ以上の異なる帯域幅キャリアに対して周波数間測定を容易にするように構成される。１つまたは複数の識別されたパラメータのうち同じパラメータは、２つ以上の異なる帯域幅キャリアに対して周波数間測定を容易にするように構成され得る。
【００３４】
いくつかの実施形態では、フレキシブル帯域幅キャリアシステムの周波数間測定のためのコンピュータプログラム製品は、２つ以上の異なる帯域幅キャリアに対して周波数間測定を容易にするように構成された１つまたは複数のパラメータを識別するように構成されたコードであって、帯域幅キャリアのうち少なくとも１つがフレキシブル帯域幅キャリアであるコードと、１つまたは複数の識別されたパラメータを１つまたは複数のユーザ機器に送信して、２つ以上の異なる帯域幅キャリアに対して周波数間測定を容易にするように構成されたコードとを有する非一時的コンピュータ可読媒体を含む。
【００３５】
いくつかの実施形態では、非一時的コンピュータ可読媒体は、２つ以上の異なる帯域幅キャリアに対して周波数間測定を容易にするために、１つもしくは複数のセル探索コヒーレント累積長を低減するように構成されたコード、２つ以上の異なる帯域幅キャリアに対して周波数間測定を容易にするために１つもしくは複数のセル探索非コヒーレント累積長を低減するように構成されたコード、２つ以上の異なる帯域幅キャリアに対して周波数間測定を容易にするために、送信ギャップパターンの繰り返しの量を増大させるように構成されたコード、２つ以上の異なる帯域幅キャリアに対して周波数間測定を容易にするために、送信ギャップの長さを増大させるように構成されたコード、または２つ以上の異なる帯域幅キャリアに対して周波数間測定を容易にするために、ウィンドウサイズを削減するように構成されたコードのうち少なくとも１つを含む。
【００３６】
いくつかの実施形態では、１つまたは複数の識別されたパラメータのうち別個のパラメータは、２つ以上の異なる帯域幅キャリアに対して周波数間測定を容易にするように構成される。１つまたは複数の識別されたパラメータのうち同じパラメータは、２つ以上の異なる帯域幅キャリアに対して周波数間測定を容易にするように構成され得る。
【００３７】
上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実施するための他の構造を修正または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で提供され、特許請求の範囲を定めるものではない。
【図面の簡単な説明】
【００３８】
以下の図面を参照すれば、本発明の性質および利点のさらなる理解が得られ得る。添付の図において、同様の構成要素または特徴は同じ参照ラベルを有し得る。さらに、同じタイプの様々な構成要素は、ダッシュによる参照ラベルと、それらの同様の構成要素同士を区別する第２のラベルとを見ることによって区別され得る。第１の参照ラベルのみが明細書において使用される場合、その説明は、第２の参照ラベルにかかわらず、同じ第１の参照ラベルを有する同様の構成要素のうちのいずれにも適用可能である。
【図１】様々な実施形態によるワイヤレス通信システムのブロック図。
【図２Ａ】様々な実施形態による、通常波形に適合するのに十分広くはないスペクトル部分にフレキシブル波形が適合するワイヤレス通信システムの例を示す図。
【図２Ｂ】様々な実施形態による、フレキシブル波形が、帯域エッジに近いスペクトル部分に適合するワイヤレス通信システムの例を示す図。
【図３】様々な実施形態によるワイヤレス通信システムのブロック図。
【図４Ａ】様々な実施形態による、周波数間測定を容易にするために構成されたデバイスのブロック図。
【図４Ｂ】様々な実施形態による、周波数間測定を容易にするために構成されたデバイスのブロック図。
【図４Ｃ】様々な実施形態による、周波数間測定を容易にするために構成されたデバイスのブロック図。
【図４Ｄ】様々な実施形態による、周波数間測定を容易にするために構成されたデバイスのブロック図。
【図５】いくつかの実施形態において使用することができる圧縮モードパターンパラメータの図。
【図６】いくつかの実施形態において使用することができるいくつかの圧縮モード設定を示すテーブル。
【図７】いくつかの異なる実施形態の比較を示すテーブル。
【図８】様々な実施形態による送信ギャップサイズの増大を示す図。
【図９】様々な実施形態によるレガシーＵＥ用のコールフローを示す図。
【図１０】様々な実施形態によるフレキシブル帯域幅対応ＵＥ用のコールフローを示す図。
【図１１】様々な実施形態によるレガシーＵＥ用のコールフローを示す図。
【図１２】様々な実施形態によるフレキシブル帯域幅可能ＵＥ用のコールフローを示す図。
【図１３】様々な実施形態によるワイヤレス通信システムのブロック図。
【図１４】様々な実施形態によるユーザ機器のブロック図。
【図１５】様々な実施形態による、基地局とユーザ機器とを含むワイヤレス通信システムのブロック図。
【図１６Ａ】様々な実施形態による、フレキシブル帯域幅キャリアシステムのための周波数間測定を行うためにいくつかの基地局によって使われる方法のフローチャート。
【図１６Ｂ】様々な実施形態による、フレキシブル帯域幅キャリアシステムのための周波数間測定を行うためにいくつかの基地局によって使われる別の方法のフローチャート。
【図１６Ｃ】様々な実施形態による、フレキシブル帯域幅キャリアシステムのための周波数間測定を行うためにいくつかの基地局によって使われるさらに別の方法のフローチャート。
【図１７Ａ】様々な実施形態による、フレキシブル帯域幅キャリアシステムのための周波数間測定を行うために何らかのユーザ機器によって使われる方法のフローチャート。
【図１７Ｂ】様々な実施形態による、フレキシブル帯域幅キャリアシステムのための周波数間測定を行うために何らかのユーザ機器によって使われる別の方法のフローチャート。
【図１７Ｃ】様々な実施形態による、フレキシブル帯域幅キャリアシステムのための周波数間測定を行うために何らかのユーザ機器によって使われるさらに別の方法のフローチャート。
【発明を実施するための形態】
【００３９】
第１の帯域幅セル上の、接続モードにあるユーザ機器（ＵＥ）が別の帯域幅セル上での周波数間測定を行うことをどのようにして無線アクセスネットワークが可能にし得るかに関する問題に対処することができる方法、システム、およびデバイスが提供される。第１の帯域幅セルは通常帯域幅セルまたはフレキシブル帯域幅セルであってよく、第２の帯域幅セルは通常帯域幅セルまたはフレキシブル帯域幅セルであってよい。通常帯域幅セルに接続されたＵＥは、周波数間隣接通常帯域幅およびフレキシブル帯域幅セル上で測定を行って、サービング通常帯域幅セルが、可能性があるハンドオーバ候補を判断するのを支援することができる。周波数間測定を可能にするために、データおよび制御チャネルは圧縮され（たとえば、通常よりも短い期間で送信され）てよい。たとえば、一般に１５スロットであり得るフレームは、送信用に７スロットに圧縮されてよい。こうすることにより、ＵＥは、残りの８スロット中に他の周波数に同調して、測定を行うことが可能になり得る。全体的チューンアウェイ時間およびパターン（たとえば、圧縮モード構成および／またはパラメータ）は、ネットワークによってサービングセルを通じてＵＥにシグナリングされ得る。シグナリングされたパラメータを考慮に入れて、ＵＥは、周波数間セルを探索し、セル上で測定を行う際に使うべきパラメータ（たとえば、コヒーレント長、非コヒーレント長などのような探索パラメータ）を判断すればよい。
【００４０】
削減帯域幅セル（通常帯域幅セルよりも帯域幅が小さいフレキシブル帯域幅セル）の時間膨張性により、通常帯域幅セルの周波数間測定において使われるパラメータは、削減帯域幅セル上で行われる測定に関する不正確な測定、またはＵＥがサービングセルと通信中であるアプリケーションの性能の低下につながる場合がある。これらの問題を緩和することができるツールおよび技法が提供される。いくつかの実施形態は、通常帯域幅セルとフレキシブル帯域幅セルの両方の測定に、１つの最適化されたパラメータセットを使うことによって、問題点に対処し、いくつかの他の実施形態は、通常帯域幅セルおよびフレキシブル帯域幅セルに別個のパラメータ構成をシグナリングすることによって、問題点に対処する。
【００４１】
通常帯域幅セル上の、接続モードにあるユーザ機器（ＵＥ）が、別の通常セルおよび１つまたは複数のフレキシブル帯域幅セル上で周波数間測定を行うことをどのようにして通常帯域幅無線アクセスネットワークが可能にし得るかに関する問題に対処することができる方法、システム、およびデバイスが提供される。いくつかの実施形態は、（たとえば、プライマリ同期チャネルおよびセカンダリ同期チャネル、すなわちＰ−ＳＣＨ、Ｓ−ＳＣＨならびにパイロットチャネル、すなわちＣＰＩＣＨに対して）探索プロシージャ中の周波数間フレキシブル帯域幅セル探索用にＵＥによって使われる、削減コヒーレント長および非コヒーレント長を用いて、通常帯域幅周波数間セルとフレキシブル帯域幅周波数間セルの両方を測定するための圧縮モードギャップ構成のセットを使用する。いくつかの実施形態は、場合（Ｐ−ＳＣＨ、Ｓ−ＳＣＨ、および／またはＣＰＩＣＨなど）によっては１つまたは複数の制御チャネルにおける電力を、コヒーレント長削減および／または非コヒーレント長削減による損失に対応するように増大することを含む。いくつかの実施形態は、ＵＥにおいて同じセル探索パラメータを使うが、通常帯域幅セル探索とフレキシブル帯域幅セル探索の両方に対応するように圧縮モードギャップパラメータを修正する（たとえば、圧縮モードギャップ長を増大する）ことを含む。別の実施形態は、通常帯域幅セル用に使われる圧縮モードギャップパラメータを維持するが、セル探索コヒーレント累積中に探索ウィンドウサイズを削減することを含み得る。いくつかの実施形態は、最初に通常帯域幅構成を、および第２にフレキシブル帯域幅構成をシグナリングし、両方を同時にＵＥにおいてアクティブ化すること、無効ＴＧＰＳＩを使ってフレキシブル帯域幅用の構成をシグナリングすること、ならびに／あるいは通常帯域幅セル用にあるセッティングをシグナリングし、通常帯域幅測定が完了した後、通常帯域幅用の構成を無効にし、フレキシブル帯域幅用の次の構成を構成することによって、通常帯域幅測定およびフレキシブル帯域幅測定用に別個の圧縮モード測定構成を構成することができる。いくつかの実施形態では、ＵＥは、通常セル用の圧縮ギャップ構成を、フレキシブル帯域幅セル用に最適化され、ＵＥに記憶されている圧縮ギャップ構成にマップする。いくつかの実施形態は、上記実施形態のどの組合せも含む。いくつかの実施形態は、ユニバーサルモバイル通信システム（ＵＭＴＳ）などの通常帯域幅キャリアシステムおよび／またはフレキシブル帯域幅ＵＭＴＳ（Ｆ−ＵＭＴＳ）などのフレキシブル帯域幅キャリアシステムを使用する。場合によっては、フレキシブル帯域幅キャリアシステムは、削減帯域幅キャリアシステムまたはセルを伴い得る。
【００４２】
フレキシブル帯域幅キャリアシステムは、フレキシブル波形を使用する、通常波形に適合するのに十分大きくない可能性があるスペクトル部分を使用し得るワイヤレス通信システムを伴い得る。フレキシブル帯域幅キャリアシステムは、たとえば、フレキシブル帯域幅キャリアシステムまたはフレキシブル帯域幅セルを指し得る。同様に、通常帯域幅キャリアシステムは、たとえば、通常帯域幅キャリアシステムまたは通常帯域幅セルも指し得る。フレキシブル帯域幅キャリアシステムは、時間（たとえば、フレーム持続時間）を膨張させ、または通常帯域幅キャリアシステムに対してフレキシブル帯域幅キャリアシステムのチップレートをスケールダウンすることにより、通常キャリア帯域幅システムに対して生成することができる。いくつかの実施形態は、チップレートを拡張もしくはスケールアップし、またはフレキシブル帯域幅キャリアシステムの時間（たとえば、フレーム持続時間）を削減することにより、フレキシブル波形の帯域幅を増大する。
【００４３】
本明細書で説明する技法は、ＣＤＭＡ、ＴＤＭＡ、ＦＤＭＡ、ＯＦＤＭＡ、ＳＣ−ＦＤＭＡ、ピアツーピア、および他のシステムなど、様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡまたはＯＦＤＭシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織の文書に記載されている。本明細書で説明する技法は、上記のシステムおよび無線技術、ならびに他のシステムおよび無線技術に使用できる。
【００４４】
したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な実施形態は、適宜に様々なプロシージャまたは構成要素を省略、置換、または追加し得る。たとえば、説明される方法は、説明される順序とは異なる順序で実施されてよく、様々なステップが追加、省略、または組み合わされてよい。また、いくつかの実施形態に関して説明する特徴は、他の実施形態において組み合わせられ得る。
【００４５】
最初に図１を参照すると、ブロック図は、様々な実施形態によるワイヤレス通信システム１００の一例を示す。システム１００は、基地局１０５と、ユーザ機器１１５と、コントローラ１２０と、コアネットワーク１３０とを含む（コントローラ１２０は、無線ネットワークコントローラすなわちＲＮＣと呼んでもよく、いくつかの実施形態ではコアネットワーク１３０に組み込まれてよく、いくつかの実施形態では、コントローラ１２０は、基地局１０５に組み込まれてよい）。システム１００は、複数のキャリア（異なる周波数の波形信号）上での動作をサポートし得る。マルチキャリア送信機は、複数のキャリア上で同時に被変調信号を送信することができる。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリアで送られ得、制御情報（たとえば、パイロット信号）、オーバーヘッド情報、データなどを搬送し得る。システム１００は、ネットワークリソースを効率的に割り振ることが可能なマルチキャリアＬＴＥネットワークであり得る。
【００４６】
ユーザ機器１１５は、任意のタイプの移動局、モバイルデバイス、アクセス端末、加入者ユニット、またはユーザ機器であり得る。ユーザ機器１１５は、セルラーフォンとワイヤレス通信デバイスとを含み得るが、携帯情報端末（ＰＤＡ）、スマートフォン、他のハンドヘルドデバイス、ネットブック、ノートブックコンピュータなどをも含み得る。したがって、ユーザ機器という用語は、任意のタイプのワイヤレスまたはモバイルの通信デバイスを含むために、特許請求の範囲を含めて以下に広く解釈されるべきである。
【００４７】
基地局１０５は、基地局アンテナを介してユーザ機器１１５とワイヤレス通信することができる。基地局１０５は、複数のキャリアを介してコントローラ１２０の制御下でユーザ機器１１５と通信するように構成され得る。基地局１０５サイトの各々は、それぞれの地理的エリアに通信カバレージを与えることができる。いくつかの実施形態では、基地局１０５は、ノードＢ、ｅノードＢ、ホームノードＢ、および／またはホームｅノードＢと呼ばれることがある。ここでは、基地局１０５に対するカバレージエリア１１０は、１１０−ａ、１１０−ｂ、または１１０−ｃとして識別される。基地局のためのカバレージエリアは、セクタ（図示しないが、カバレージエリアの一部のみを構成する）に分割され得る。システム１００は、異なるタイプの基地局１０５（たとえば、マクロ基地局、マイクロ基地局、フェムト基地局、および／またはピコ基地局）を含み得る。
【００４８】
ユーザ機器１１５、基地局１０５、コアネットワーク１３０、および／またはコントローラ１２０など、システム１００の異なる態様は、様々な実施形態によると、フレキシブル帯域幅および波形を使用するように構成され得る。システム１００は、たとえば、ユーザ機器１１５と基地局１０５との間の送信１２５を示す。送信１２５は、ユーザ機器１１５から基地局１０５へのアップリンクおよび／または逆方向リンク送信、ならびに／あるいは基地局１０５からユーザ機器１１５へのダウンリンクおよび／または順方向リンク送信を含み得る。送信１２５は、フレキシブル波形および／または通常波形を含み得る。通常波形は、レガシーおよび／または通常波形とも呼ばれ得る。
【００４９】
ユーザ機器１１５、基地局１０５、コアネットワーク１３０、および／またはコントローラ１２０など、システム１００の異なる態様は、様々な実施形態によると、フレキシブル帯域幅および波形を使用するように構成され得る。たとえば、システム１００の異なる態様は、通常波形に適合するのに十分に大きくなくてもよいスペクトル部分を使用することができる。ユーザ機器１１５、基地局１０５、コアネットワーク１３０、および／またはコントローラ１２０などのデバイスは、チップレート、および／または帯域幅スケーリング係数を、フレキシブル帯域幅および／または波形を生成および／または使用するのに適応させるように構成され得る。システム１００のいくつかの態様は、通常サブシステム時間に対する、フレキシブルサブシステムの時間の膨張、またはスケールダウンにより通常サブシステム（他のユーザ機器１１５、および／または基地局１０５を使って実装され得る）に対して生成することができるフレキシブルなサブシステム（いくつかのユーザ機器１１５、および／または基地局１０５など）を形成することができる。
【００５０】
いくつかの実施形態では、ユーザ機器１１５、基地局１０５、コアネットワーク１３０、および／またはコントローラ１２０など、システム１００の異なる態様は、フレキシブル帯域幅キャリアシステムのための周波数間測定用に構成され得る。いくつかの実施形態では、ユーザ機器１１５は、１つもしくは複数のフレキシブル帯域幅セルおよび／または１つもしくは複数の通常帯域幅セルなど、２つ以上の異なる帯域幅セルに対して周波数間探索を容易にするための１つまたは複数の探索パラメータを識別するために構成され得る。いくつかの実施形態では、１つまたは複数の探索パラメータを識別することは、既存パラメータを修正もしくは調節すること、使われるべきパラメータを受信すること、記憶された情報からパラメータを判断すること、利用可能パラメータセットからパラメータを選択すること、および／または周波数間探索を容易にするためにパラメータを別のデバイスに送ることを含み得る。
【００５１】
いくつかの実施形態では、基地局１０５、コアネットワーク１３０、および／またはコントローラ１２０は、１つまたは複数のフレキシブル帯域幅セルおよび／または通常帯域幅セルに対して周波数間探索を容易にするための１つまたは複数の圧縮モードパラメータを識別するために構成され得る。いくつかの実施形態では、１つまたは複数の圧縮モードパラメータを識別することは、既存パラメータを修正もしくは調節すること、使われるべきパラメータを受信すること、記憶された情報からパラメータを判断すること、利用可能パラメータセットからパラメータを選択すること、および／または周波数間探索を容易にするためにパラメータを別のデバイスに送ることを含み得る。たとえば、１つまたは複数の識別されたパラメータは、１つまたは複数のフレキシブル帯域幅セルおよび／または通常帯域幅セルに対して周波数間測定を容易にするために、１つまたは複数のユーザ機器１１５に送信され得る。圧縮モードパラメータまたは探索パラメータを含み得る１つまたは複数の識別されたパラメータは、ユーザ機器１１５によって、１つまたは複数のフレキシブル帯域幅セルおよび／または通常帯域幅セルに対して１つまたは複数の周波数間測定を実行するのに使用することができる。
【００５２】
いくつかの実施形態は、フレキシブル波形および／または通常波形を生成することができるユーザ機器および／または基地局を含み得る。フレキシブル波形は、通常波形よりも少ない帯域幅を占め得る。たとえば、帯域エッジにおいて、通常波形を配置するのに十分な利用可能なスペクトルがないことがある。いくつかの実施形態におけるフレキシブル波形に対して、時間が膨張されると、波形によって占有される周波数が下がり、したがって通常波形に適合するのに十分広くはない可能性があるスペクトルにフレキシブル波形を適合させることが可能になる。フレキシブル波形は、いくつかの実施形態では、帯域幅スケーリング係数を使うことにより生成することもできる。他の実施形態は、レートまたはチップレートを変更することにより、スペクトルの一部分に適合するためのフレキシブル波形を生成し得る（たとえば、拡散係数が変化し得る）。いくつかの実施形態は、チップレートを変更し、または帯域幅スケーリング係数を使用するための処理の周波数を変えることができる。処理の周波数を変えることは、補間レート、割込みレート、および／またはデシメーションレートを変えることを含み得る。いくつかの実施形態では、チップレートまたはフィルタリングにより使用される帯域幅スケーリング係数は、デシメーションによって、ならびに／あるいはアナログデジタル変換器（ＡＤＣ）、デジタルアナログ変換器（ＤＡＣ）、および／またはオフラインクロックの周波数を変えることによって、変えられ得る。分割器が、少なくとも１つのクロックの周波数を変えるのために使われ得る。
【００５３】
いくつかの実施形態では、フレキシブルシステムまたはフレキシブル波形は、フラクショナルシステムまたはフラクショナル波形であってよい。フラクショナルシステム、および／またはフラクショナル波形は、たとえば、帯域幅を変えることも変えないこともある。フラクショナルシステム、またはフラクショナル波形は、それが、通常システム、または通常波形（たとえば、Ｎ＝１システム）よりも多くの可能性を提供し得るのでフレキシブルであり得る。通常システムまたは通常波形は、標準および／またはレガシーシステムまたは波形を指し得る。
【００５４】
図２Ａは、様々な実施形態による、基地局１０５−ａおよびユーザ機器１１５−ａをもつワイヤレス通信システム２００−ａの例を示し、フレキシブル波形２１０−ａは、通常波形２２０−ａに適合するのに十分に広くはないスペクトル部分に適合する。システム２００−ａは、図１のシステム１００の例であり得る。いくつかの実施形態では、フレキシブル波形２１０−ａは通常波形２２０−ａとオーバーラップする場合があり、この場合通常波形２２０−ａは、基地局１０５−ａおよび／またはユーザ機器１１５−ａによって送信されている可能性がある。いくつかの実施形態は、複数のフレキシブル波形２１０を使用することもできる。いくつかの実施形態では、別の基地局および／またはユーザ機器（図示せず）は、通常波形２２０−ａおよび／またはフレキシブル波形２１０−ａを送信することができる。図２Ｂは、基地局１０５−ｂおよびユーザ機器１１５−ｂをもつワイヤレス通信システム２００−ｂの例を示し、フレキシブル波形２１０−ｂは、通常波形２２０−ｂなどの通常波形が適合することができない、ガード帯域でよい帯域のエッジに近いスペクトル部分に適合する。システム２００−ｂは、図１のシステム１００の一例であり得る。スケーリングされたフレキシブル波形２１０−ｂを使用して音声サービスをサポートするための同様の技法が、上述したように適用可能であり得る。
【００５５】
図３は、様々な実施形態による、基地局１０５−ｃおよび１０５−ｄならびにユーザ機器１１５−ｃおよび１１５−ｄをもつワイヤレス通信システム３００を示す。いくつかの実施形態では、基地局１０５−ｃ／１０５−ｄおよび／またはユーザ機器１１５−ｃ／１１５−ｄは、フレキシブル帯域幅キャリアシステム内で、音声サービスなどのサービスを提供するために構成されてよい。たとえば、ユーザ機器１１５−ｃ／１１５−ｄと基地局１０５−ｃとの間の送信３０５−ａおよび／または３０５−ｂは、フレキシブル波形を使用してスケーリングされた送信を伴う場合がある。
【００５６】
図３に示すように、基地局１０５−ｃおよび／またはユーザ機器１１５−ｃ／１１５−ｄは、送信３０５−ａおよび／または３０５−ｂを通じて通信することができる。いくつかの実施形態では、基地局１０５−ｃは、１つまたは複数のフレキシブル帯域幅セルおよび／または通常帯域幅セルなど、２つ以上の異なる帯域幅セルに対して周波数間探索を容易にするための１つまたは複数のパラメータ（たとえば、圧縮モードパラメータ、探索パラメータ）を識別することができる。１つまたは複数の識別されたパラメータは、送信３０５−ａおよび／または３０５−ｂにより、１つまたは複数のユーザ機器１１５−ｃ／１１５−ｄに送信されて、基地局１０５−ｄを含み得る１つまたは複数のフレキシブル帯域幅セルおよび／または通常帯域幅セルに対して周波数間測定を容易にすることができる。いくつかの実施形態では、ユーザ機器１１５−ｃおよび／または１１５−ｄは、送信３０５−ａおよび／または３０５−ｂにより提供される情報に基づいて、基地局１０５−ｄなど、１つまたは複数のフレキシブル帯域幅セルおよび／または通常帯域幅セルに対して周波数間測定を容易にするように構成された１つまたは複数のパラメータを識別することができる。１つまたは複数の識別されたパラメータは、基地局１０５−ｄなど、１つまたは複数のフレキシブル帯域幅セルおよび／または通常帯域幅セルに対して１つまたは複数の周波数間測定を実行するのに使用することができる。
【００５７】
ユーザ機器１１５−ｃ／１１５−ｄと基地局１０５−ｃとの間の送信３０５−ａおよび／または３０５−ｂは、通常波形よりも小さい（または大きい）帯域幅を占めるように生成され得るフレキシブル波形を使用することができる。たとえば、帯域エッジにおいて、通常波形を配置するのに十分な利用可能なスペクトルがないことがある。フレキシブル波形に対して、時間が膨張されると、波形によって占有される周波数が下がり、したがって通常波形に適合するのに十分広くはない可能性があるスペクトルにフレキシブル波形を適合させることが可能になる。いくつかの実施形態では、フレキシブル波形は、通常波形に対する帯域幅スケーリング係数Ｎを使用してスケーリングされ得る。帯域幅スケーリング係数Ｎは、たとえば１、２、４などの整数値を含むが、それらに限定されない、多数の異なる値をとることができる。ただし、Ｎは、整数である必要はない。
【００５８】
図３に示す例において、基地局１０５−ｄは、フレキシブル帯域幅セルと通常帯域幅セルの両方をサポートすることができ、追加セルもサポートすることができる。ユーザ機器１１５−ｃは、１つまたは複数の周波数間測定を実行するための適切なパラメータ（たとえば、圧縮モードパラメータ、探索パラメータ、タイミング情報）を識別した後、それらのパラメータを、基地局１０５−ｄのフレキシブル帯域幅セルおよび通常帯域幅セルに対して測定を行うのに使用することができる。送信３０５−ｃは、フレキシブル帯域幅セルに対応する測定を行うのに使用することができ、送信３０５−ｄは、通常帯域幅セルに対応する測定を行うのに使用することができる。
【００５９】
いくつかの実施形態は、追加用語を使用することができる。新たな単位Ｄが使用され得る。単位Ｄは膨張される。この単位は無名数（unitless）であり、Ｎの値をもつ。フレキシブルシステムにおける時間については、「膨張時間」によって話すことができる。たとえば、通常時間における、たとえば１０ミリ秒（ｍｓ）のスロットは、フレキシブル時間では１０Ｄｍｓと表すことができる（注：これは、通常時間においてＮ＝１なので、通常時間であっても当てはまる。すなわち、Ｄは通常時間における１の値をもつので、１０Ｄｍｓ＝１０ｍｓである）。時間スケーリングにおいて、ほとんどの「秒」を「膨張秒」で置き換えることができる。ヘルツで表される周波数は１／ｓであることに留意されたい。いくつかの実施形態は、やはり値Ｎを有し得るチップレート分割器（「Ｄｃｒ」）を使用することもできる。
【００６０】
上述したように、フレキシブル波形は、通常波形よりも小さい帯域幅を占める波形であり得る。したがって、フレキシブル帯域幅キャリアシステムでは、同じ数のシンボルおよびビットが、通常帯域幅キャリアシステムと比較して、より長い持続時間にわたって送信され得る。この結果、タイムストレッチが生じてよく、これによってスロット持続時間、フレーム持続時間などが、帯域幅スケーリング係数Ｎだけ増大し得る。帯域幅スケーリング係数Ｎは、通常帯域幅とフレキシブル帯域幅（ＢＷ）の比を表し得る。したがって、フレキシブル帯域幅キャリアシステムにおけるデータレートは（通常レート×１／Ｎ）に等しくてよく、遅延は（通常遅延×Ｎ）に等しくてよい。概して、フレキシブルシステムチャネルＢＷ＝通常システムチャネルＢＷ／Ｎである。遅延×ＢＷは不変のままであり得る。さらに、いくつかの実施形態では、フレキシブル波形は、通常波形よりも多い帯域幅を占める波形であり得る。
【００６１】
本明細書を通じて、通常システム、サブシステム、および／または波形という用語は、１に等しくてよい（たとえば、Ｎ＝１）帯域幅スケーリング係数または通常もしくは標準チップレートを使用し得る実施形態を伴うシステム、サブシステム、および／または波形を指すのに使用することができる。これらの通常システム、通常サブシステム、および／または通常波形は、標準および／またはレガシーシステム、標準および／またはレガシーサブシステム、ならびに／あるいは標準および／またはレガシー波形と呼ばれることもある。さらに、フレキシブルシステム、サブシステム、および／または波形は、１に等しくなくてよい（たとえば、Ｎ＝２、４、８、１／２、１／４など）帯域幅スケーリング係数を使用することができる実施形態を伴うシステム、サブシステム、および／または波形を指すのに使用することができる。Ｎ＞１の場合、またはチップレートが低下された場合、波形の帯域幅は減少し得る。いくつかの実施形態は、帯域幅を増大させる帯域幅スケーリング係数またはチップレートを使用することができる。たとえば、Ｎ＜１の場合、またはチップレートが増大された場合、波形は、通常波形よりも大きい帯域幅をカバーするように拡大され得る。フレキシブルシステム、サブシステム、および／または波形は、場合によってはフラクショナルシステム、サブシステム、および／または波形とも呼ばれ得る。フラクショナルシステム、フラクショナルサブシステム、および／またはフラクショナル波形は、たとえば、帯域幅を変えることも変えないこともある。フラクショナルシステム、サブシステム、または波形は、通常または標準システム、サブシステム、または波形（たとえば、Ｎ＝１システム）よりも多くの可能性をもたらし得るので、フレキシブルであり得る。
【００６２】
次に図４Ａに移ると、ブロック図は、様々な実施形態によるフレキシブル帯域幅キャリアシステムのための周波数間測定用のデバイス４００を示す。デバイス４００は、図１、図２Ａ、図２Ｂ、図３、図１１、図１２、図１４、および／または図１５を参照して記載するユーザ機器１１５の１つまたは複数の態様の例であり得る。デバイス４００はプロセッサでもあり得る。デバイス４００は、受信機モジュール４０５、フレキシブル帯域幅キャリア圧縮モードモジュール４１０、周波数間探索モジュール４１６、および／または送信機モジュール４２０を含み得る。これらの構成要素の各々は互いに通信していることがある。
【００６３】
デバイス４００は、受信機モジュール４０５、フレキシブル帯域幅キャリア圧縮モードモジュール４１０、周波数間探索モジュール４１６、および／または送信機モジュール４２０を通じて、フレキシブル帯域幅キャリアシステムのための周波数間測定用に構成され得る。送信機モジュール４２０は、ＵＥによって行われた測定の結果を、場合によってはネットワークに送信することができる。たとえば、フレキシブル帯域幅キャリア圧縮モードモジュール４１０は、２つ以上の異なる帯域幅キャリアに対して、たとえば１つもしくは複数のフレキシブル帯域幅セルおよび／または１つもしくは複数の通常帯域幅セルに対して、周波数間探索を容易にするための１つまたは複数のパラメータを識別するように構成され得る。１つまたは複数の識別されたパラメータは、１つもしくは複数の圧縮モードパラメータ、タイミング情報、および／または１つもしくは複数の探索パラメータを含み得る。いくつかの実施形態では、受信機モジュール４０５および／またはフレキシブル帯域幅キャリア圧縮モードモジュール４１０は、帯域幅セルのうち少なくとも１つがフレキシブル帯域幅セルを含む、２つ以上の異なる帯域幅セルに対して周波数間測定を容易にするように構成された１つまたは複数の圧縮モードパラメータを受信および／または識別するように構成され得る。いくつかの実施形態は、１つまたは複数のフレキシブル帯域幅セルおよび／または通常帯域幅セルに対して測定を容易にし得る。いくつかの実施形態では、ユーザ機器１１５用の受信機モジュール４０５および／またはフレキシブル帯域幅圧縮キャリアモードモジュール４１０は、フレキシブル帯域幅セルをより効率的に探索するのに使うことができる探索パラメータを受信および／または識別するように構成され得る。１つまたは複数の識別されたパラメータ（たとえば、圧縮モードパラメータ、探索パラメータ）は、周波数間探索モジュール４１６によって、１つまたは複数のフレキシブル帯域幅セルおよび／または通常帯域幅セルに対して１つまたは複数の周波数間測定を実行するのに使用することができる。
【００６４】
周波数間測定を容易にする１つまたは複数のパラメータの識別は、ＵＥが、周波数間探索モジュール４１６を通じて、フレキシブル帯域幅セルを探索中であるときに、１つまたは複数のコヒーレント長を低減することを含み得る。デバイス４００のいくつかの実施形態は、フレキシブル帯域幅セルに属す１つまたは複数の制御チャネルの送信電力を増大させることによって、周波数間測定を容易にする１つまたは複数のパラメータを識別することを含む。デバイス４００のいくつかの実施形態は、送信ギャップパターンの繰り返しの量を増大させることによって、周波数間測定を容易にする１つまたは複数のパラメータを識別することを含む。デバイス４００のいくつかの実施形態は、圧縮モード送信ギャップの長さを増大させることによって、周波数間測定を容易にする１つまたは複数のパラメータを識別することを含む。デバイス４００のいくつかの実施形態は、特に、タイミング情報がネットワークによってＵＥにシグナリングされ得る場合、セル探索プロシージャ中のコヒーレント累積のためのウィンドウサイズを削減することによって、周波数間測定を容易にする１つまたは複数のパラメータを識別することを含む。いくつかの実施形態は、測定されるべき１つまたは複数のフレキシブル帯域幅セルに関してタイミング情報を送信および／または受信することを含む。
【００６５】
デバイス４００のいくつかの実施形態では、１つまたは複数の識別されたパラメータは、１つまたは複数のフレキシブル帯域幅セルおよび／または通常帯域幅セルに対して、別個の圧縮モード測定において使用することができる。たとえば、圧縮モードパラメータセットは、隣接するフレキシブル帯域幅セルを測定するために使うことができ、別の圧縮モードパラメータセットは、通常帯域幅セルを測定するために使うことができる。別個の圧縮モード測定は、同時に使用されるように構成され得る。いくつかの実施形態は、１つまたは複数のフレキシブル帯域幅セルに対して圧縮モード測定構成を容易にするための無効送信ギャップパターン識別子を使用することを含む。いくつかの実施形態は、シグナリングされた無効送信ギャップパターン識別子へのユーザ機器応答を使用して、フレキシブル帯域幅セルをサポートするレガシーユーザ機器とユーザ機器とを区別することを含み、これは、場合によっては送信機モジュール４２０によって実行することができる。別個の圧縮モード測定は、同時にではなく、別個の時間に使用されるように構成され得る。
【００６６】
図４Ｂに移ると、ブロック図が、様々な実施形態によるフレキシブル帯域幅キャリアシステムのための周波数間測定用のデバイス４２５を示す。デバイス４２５は、図４Ａのデバイス４００の一例であり得る。デバイス４２５はプロセッサでもあり得る。デバイス４２５は、受信機モジュール４０５、フレキシブル帯域幅キャリア圧縮モードモジュール４１０−ａ、周波数間探索モジュール４１６、および／または送信機モジュール４２０を含み得る。これらの構成要素の各々は互いに通信していることがある。
【００６７】
フレキシブル帯域幅キャリア圧縮モジュール４１０−ａは、図４Ａのフレキシブル帯域幅キャリア圧縮モジュール４１０の例であってよい。フレキシブル帯域幅キャリア圧縮モジュール４１０−ａは、１つまたは複数のフレキシブル帯域幅セルおよび／または通常帯域幅セルに対して周波数間測定を容易にするための１つまたは複数のパラメータを識別することに関連した様々な態様を扱うための複数のモジュールを含み得る。セル探索コヒーレント累積長モジュール４１１は、ＵＥが、周波数間探索モジュール４１６を通じて、フレキシブル帯域幅セルを探索中であるときに１つまたは複数のセル探索コヒーレント長を低減するように構成され得る。セル探索非コヒーレント累積長モジュール４１２は、ＵＥがフレキシブル帯域幅セルを探索中であるときに１つまたは複数の非コヒーレント長を低減するように構成され得る。送信ギャップパターンモジュール４１３は、ＵＥがフレキシブル帯域幅セルを探索中であるときに送信ギャップパターンの繰り返しの量を増大するように構成され得る。送信ギャップ長モジュール４１４は、ＵＥがフレキシブル帯域幅セルを探索中であるときに圧縮モード送信ギャップの長さを増大するように構成され得る。タイミングモジュール４１５は、セル探索プロシージャ中のコヒーレント累積のためのウィンドウサイズを削減するように構成され得る。ネットワークは、ＵＥにウィンドウサイズを削減させるタイミング情報を、ＵＥに送ることができる。概して、送信ギャップパターン、送信ギャップ長およびウィンドウサイズは、ネットワークによって判断され、デバイス４２５にシグナリングされ得る。デバイス４２５は、送信ギャップパターンモジュール４１３、送信ギャップ長モジュール４１４、および／またはタイミングモジュール４１５を通じて、デバイス４２５が測定中であり得るシステムの帯域幅スケーリング係数に基づいて、またはサービングセルの帯域幅スケーリング係数に基づいてパラメータを解釈する。
【００６８】
次に図４Ｃに移ると、ブロック図が、様々な実施形態によるフレキシブル帯域幅キャリアシステムのための周波数間測定用のデバイス４３０を示す。デバイス４３０は、図１、図２Ａ、図２Ｂ、図３、図１１、図１３、および／または図１５を参照して記載する基地局１０５、ならびに／あるいは図１および／または図１５のコントローラ１２０の１つまたは複数の態様の例であり得る。デバイス４３０はプロセッサでもあり得る。デバイス４３０は、受信機モジュール４４５、フレキシブル帯域幅キャリア圧縮モードモジュール４５０、通常帯域幅キャリア圧縮モードモジュール４７０、および／または送信機モジュール４６０を含み得る。これらの構成要素の各々は互いに通信していることがある。場合によっては、デバイス４３０の態様は、基地局１０５とコントローラ１２０の両方に分けることができる。たとえば、送信機モジュール４６０および／または受信機モジュール４４５は一般に、基地局１０５内にあってよく、フレキシブル帯域幅キャリア圧縮モードモジュール４５０および／または通常帯域幅キャリア圧縮モードモジュール４７０は、コントローラ１２０の一部であってよい。フレキシブル帯域幅キャリア圧縮モードモジュール４５０および／または通常帯域幅キャリア圧縮モードモジュール４７０は、１つのモジュールに組み合わせることができる。通常帯域幅キャリア圧縮モードモジュール４７０は、場合によっては、通常帯域幅圧縮パラメータを判断し、ユーザ機器１１５にシグナリングすることができる。
【００６９】
デバイス４３０は、受信機モジュール４４５、フレキシブル帯域幅キャリア圧縮モードモジュール４５０、および／または送信機モジュール４６０を通じて、フレキシブル帯域幅キャリアシステムのための周波数間測定用に構成され得る。たとえば、フレキシブル帯域幅キャリア圧縮モードモジュール４１０は、２つ以上の異なる帯域幅キャリアに対して、たとえば１つもしくは複数のフレキシブル帯域幅セルおよび／または１つもしくは複数の通常帯域幅セルに対して、周波数間探索を容易にするための１つまたは複数のパラメータを識別するように構成され得る。１つまたは複数の識別されたパラメータは、１つもしくは複数の圧縮モードパラメータ、タイミング情報、および／または１つもしくは複数の探索パラメータを含み得る。１つまたは複数の識別されたパラメータは、１つまたは複数のフレキシブル帯域幅セルおよび／または通常帯域幅セルに対して周波数間測定を容易にするために、送信機４６０を通じて１つまたは複数のユーザ機器に送信され得る。
【００７０】
周波数間測定を容易にする１つまたは複数のパラメータの、デバイス４３０による識別は、フレキシブル帯域幅セルを探索するための１つまたは複数のコヒーレント長を低減することを含み得る。デバイス４３０のいくつかの実施形態は、測定済みフレキシブル帯域幅セルであってよい測定済みセルに属す１つまたは複数の制御チャネル上の送信電力を増大させることによって、周波数間測定を容易にする１つまたは複数のパラメータを識別することを含む。デバイス４３０のいくつかの実施形態は、送信ギャップパターンの繰り返しの量を増大させることによって、周波数間測定を容易にする１つまたは複数のパラメータを識別することを含む。デバイス４００のいくつかの実施形態は、圧縮モード送信ギャップの長さを増大させることによって、周波数間測定を容易にする１つまたは複数のパラメータを識別することを含む。デバイス４００のいくつかの実施形態は、特に、タイミング情報がネットワークによって、セル探索を行うＵＥにシグナリングされ得るとき、セル探索プロシージャ中に使われるコヒーレント累積のためのウィンドウサイズを削減することによって、周波数間測定を容易にする１つまたは複数のパラメータを識別することを含む。いくつかの実施形態は、測定されるべき１つまたは複数のフレキシブル帯域幅セルに関してタイミング情報を送信および／または受信することを含む。
【００７１】
デバイス４３０のいくつかの実施形態では、１つまたは複数の識別されたパラメータは、１つまたは複数のフレキシブル帯域幅セルおよび／または通常帯域幅セルに対して、別個の圧縮モード測定において使用することができる。たとえば、圧縮モードパラメータセットは、隣接するフレキシブル帯域幅セルを測定するために使うことができ、別の圧縮モードパラメータセットは、通常帯域幅セルを測定するために使うことができる。別個の圧縮モード測定は、同時に使用されるように構成され得る。別個の圧縮モード測定は、同時にではなく、別個の時間に使用されるように構成され得る。
【００７２】
図４Ｄに移ると、ブロック図が、様々な実施形態によるフレキシブル帯域幅キャリアシステムのための周波数間測定用のデバイス４３５を示す。デバイス４３５は、図４Ｃのデバイス４３０の一例であり得る。デバイス４３５はプロセッサでもあり得る。デバイス４３５は、受信機モジュール４４５、フレキシブル帯域幅キャリア圧縮モードモジュール４５０−ａ、および／または送信機モジュール４６０を含み得る。これらの構成要素の各々は互いに通信していることがある。場合によっては、デバイス４３５の態様は、基地局１０５とコントローラ１２０の両方に分けることができる。たとえば、送信機モジュール４６０および／または受信機モジュール４４５は一般に、基地局１０５内にあってよく、フレキシブル帯域幅キャリア圧縮モードモジュール４５０−ａおよび／または通常帯域幅キャリア圧縮モードモジュール４７０は、コントローラ１２０の一部であってよい。フレキシブル帯域幅キャリア圧縮モードモジュール４５０−ａおよび／または通常帯域幅キャリア圧縮モードモジュール４７０は、１つのモジュールに組み合わせることができる。通常帯域幅キャリア圧縮モードモジュール４７０は、場合によっては、通常帯域幅圧縮パラメータを判断し、ユーザ機器１１５にシグナリングすることができる。
【００７３】
フレキシブル帯域幅キャリア圧縮モジュール４５０−ａは、図４Ｃのフレキシブル帯域幅キャリア圧縮モジュール４５０の例であってよい。フレキシブル帯域幅キャリア圧縮モジュール４５０−ａは、１つまたは複数のフレキシブル帯域幅セルおよび／または通常帯域幅セルに対して周波数間測定を容易にするための１つまたは複数のパラメータを識別することに関連した様々な態様を扱うための複数のモジュールを含み得る。送信ギャップパターンモジュール４５３は、ＵＥがフレキシブル帯域幅セルを探索中であるときに使われる送信ギャップパターンの繰り返しの量を増大するように構成され得る。送信ギャップ長モジュール４５４は、ＵＥがフレキシブル帯域幅セルを探索中であるときに使われる圧縮モード送信ギャップの長さを増大するように構成され得る。タイミングモジュール４５５は、セル探索プロシージャ中に使われるコヒーレント累積のためのウィンドウサイズを削減するように構成され得る。ネットワークは、ＵＥにウィンドウサイズを削減させるタイミング情報を、ＵＥに送ることができる。追加パラメータモジュール４５６は、図６を参照して記載するパラメータのうち１つまたは複数など、他の圧縮モードパラメータを修正するように構成され得る。
【００７４】
フレキシブル帯域幅キャリア圧縮モジュール４５０−ａのいくつかの実施形態は、送信電力モジュール４５１を含み得る。送信電力モジュール４５１は、送信機モジュール４６０の一部であってもよい。場合によっては、Ｐ−ＳＣＨ、Ｓ−ＳＣＨおよびＣＰＩＣＨなどのチャネル向けの電力増大は、基地局１０５またはコントローラ１２０において実施され得る。コントローラ１２０は、送信電力を判断し、その値を基地局１０５にシグナリングすることができる。
【００７５】
図４Ａ、図４Ｂ、図４Ｃ、および／または図４Ｄのデバイス４００、４２５、４３０、および４３５のこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体または一部が、１つまたは複数の汎用または特定用途向けプロセッサによって実行されるようにフォーマットされた、メモリ中に組み込まれた命令によって実装され得る。
【００７６】
圧縮モードパターンシーケンスが、ＦＤＤ、ＴＤＤ、ＧＳＭキャリアＲＳＳＩ測定、初期ＢＳＩＣ識別、および／またはＢＳＩＣ再確認という、パラメータを使う測定目的、すなわち送信ギャップ測定目的（ＴＧＭＰ）の各々のために構成され得る。いくつかの実施形態は、通常帯域幅セルとフレキシブル帯域幅セルとを伴う周波数間測定のために、ＦＤＤ目的を使用することができる。図５は、いくつかの実施形態において使用することができる圧縮モードパラメータ５００（たとえば、３ＧＰＰ  ＴＳ２５．２１５参照）を示す。いくつかの実施形態では、ネットワークは、ＵＥに、周波数間測定を行うのに送信ギャップシーケンスを使うようシグナリングし得る。シーケンスは複数のパターンを含んでよく、シーケンス中のパターンの数は、パラメータＴＧＰＲＣによって示される。ＴＧＬ１スロットだけ続く送信ギャップパターン内には一般に、スロット長がＴＧＬ１およびＴＧＬ２である２つの圧縮ギャップがある。これらのギャップは、持続時間ＴＧＤスロットだけ隔てられ得る。長さがＴＧＬ１スロットである第１のギャップは、接続番号がＴＧＣＦＮであるフレームのスロット番号ＴＧＳＮ上で開始し得る。図６は、いくつかの実施形態において使用することができるいくつかの圧縮モードパラメータのいくつかの圧縮モード設定、典型的な範囲および記述を示すテーブル６００を示す。いくつかの実施形態は、フレキシブル帯域幅および通常帯域幅用に異なる測定構成を使用し得る。いくつかの実施形態は、これらのパラメータをネットワークにシグナリングするとき、異なるメッセージも使用し得る。たとえば、圧縮ギャップパターンシーケンスコールの定義は、無線ベアラセットアップメッセージを使ってコールセットアップ時に、または物理チャネル再設定メッセージを使ってコールセットアップ後に、ネットワークによってユーザ機器１１５にシグナリングすることができる。圧縮ギャップパターンシーケンスは次いで、測定制御または物理チャネル再設定メッセージを使ってコールセットアップ後にアクティブ化され得る。シーケンスアクティブ化の後、ＵＥは、ネットワークによって、周波数間測定に圧縮ギャップパターン構成を使うよう命じられ得る。これは、測定制御メッセージを使ってコールセットアップ後に行われ得る。フレキシブル帯域幅キャリアシステムの探索は、通常帯域幅に使われるよりも圧縮されたモードのギャップを伴い得る。たとえば、帯域幅スケーリング係数Ｎが増大すると、サンプルを蓄積するために、異なる周波数間測定を実行するのに十分な時間がない場合がある。さらに、フレキシブル帯域幅セルの帯域幅スケーリング係数がユーザ機器にシグナリングされない実施形態がある。このことは、ＵＥがセル探索中に帯域幅について多重仮説を実行することを伴い得る。いくつかの実施形態は、異なる解決法を提供することができる。
【００７７】
いくつかの実施形態は、通常帯域幅キャリアシステム（たとえば、ＵＭＴＳ）とフレキシブル帯域幅キャリアシステム（たとえば、Ｆ−ＵＭＴＳ）の両方において周波数間測定を行うための、１つのＦＤＤ圧縮モード（ＣＭ）構成および／または複数のパラメータを使用し得る。通常帯域幅キャリアとフレキシブル帯域幅キャリア（たとえば、削減帯域幅キャリア）の両方に対して同じ構成が使われるいくつかの実施形態では、ＵＥによって、Ｐ−ＳＣＨ、Ｓ−ＳＣＨおよび／またはＣＰＩＣＨなど、１つまたは複数の制御チャネルを用いて周波数間フレキシブル帯域幅測定のために使われるコヒーレント累積長および非コヒーレント累積長が削減され得る。この削減は、削減帯域幅キャリアのフレーム持続時間の時間膨張によるものであり得る。たとえば、ＵＥが、通常キャリアシステム上のＴＧＬ１中の期間Ｔ（Ｔ＜＝ＴＧＬ１）内に連続サンプルをとると仮定すると、ＵＥが、測定を行う間にサンプリングレート、すなわちＲを使う場合、ＵＥがこの期間に蓄積するサンプル数はＴ／Ｒになり得る。ＵＥが、フレーム期間の膨張により、（帯域幅が削減された）フレキシブル帯域幅システム上の同じ期間Ｔ内に測定サンプルをとると、サンプリングレートはＲ＊Ｎに調節されてよく、ここでＮ（Ｎ＞１）はフレキシブル帯域幅キャリアの帯域幅スケーリング係数であり、期間Ｔでのサンプル数はＴ／（Ｒ＊Ｎ）＜Ｔ／Ｒである。このコヒーレント長の低減の結果、不十分なサンプルにより、測定（たとえば、サンプルの平均）が不正確になり得る。一方、通常キャリア上で使われるのと同じサンプリングレートが、フレキシブルキャリアおよび通常キャリア上での測定に使われ得る。この場合、両方のシステムについて同じサンプル数が取得され得るが、フレキシブル帯域幅システムから取得されたサンプルが、より相関性がある。したがって、サンプルの平均などの測定も、不十分なサンプルにより不正確になり得る。ＵＥが複数のコヒーレント測定値（非コヒーレント累積長によって示される）を取得する非コヒーレント累積に対して、フレキシブル帯域幅システム用にサンプリングレートが調節される場合、非コヒーレント長が削減されてよく、そうではなくサンプリングレートが同じに保たれる場合、同じサンプル数が、フレキシブル帯域幅システムと通常帯域幅システムの両方において取得され得るが、フレキシブル帯域幅における測定の正確さは依然として、サンプルの相関により低下し得る。不正確であり不足しない測定が、損失および性能低下につながり得る。したがって、損失を補償するために、フレキシブル帯域幅システムでは、Ｐ−ＳＣＨ、Ｓ−ＳＣＨおよび／またはＣＰＩＣＨなど、セル探索に使われる制御チャネルの送信電力は、ネットワークによって増大され得る。いくつかの実施形態は、フレキシブル帯域幅システムに対応するためにＣＭパラメータ調節が行われ得る通常帯域幅キャリアシステムに関して、同じコヒーレント長と非コヒーレント長とを使用することができる。たとえば、ＴＧＰ１、ＴＧＰＬ１、および／またはＴＧＰＲＣは、通常帯域幅システムとフレキシブル帯域幅システムの両方について増大され得る。いくつかの実施形態では、コヒーレント累積中に支援するためのタイミング情報がＵＥにシグナリングされ得る。たとえば、あるコヒーレント累積の開始の多重仮説を判断することができるウィンドウサイズとして知られる、コヒーレント累積中に使われるパラメータが、ネットワークによってＵＥにシグナリングされ得る。こうすることにより、ＵＥが行う必要があり得る測定（サンプル）の回数を減らすことができる。
【００７８】
いくつかの実施形態では、ＵＥが、圧縮モードパラメータ、たとえば、ＴＧＬ１（図６に示すように、スロットの単位でのパラメータ）についての値をネットワークから受信すると、ＵＥは、ＵＥが測定をそこから行う予定のセルの帯域幅スケーリング係数ではなく、ＵＥがパラメータをそこから受信したセルの帯域幅スケーリング係数に基づいて、持続時間を解釈すればよい。この概念を一般化するために、ただ１つの構成がＮ＞１システムとＮ＝１システムの両方によって使われ得る場合、ＵＥとサービングセルとの間で通信される現在のアプリケーションにおける低下を避けるために、ＵＥは、次の式に基づいて、近接セル周波数間測定中に使うべき時間依存圧縮モードパラメータの値を判断すればよい。  
Ｔ＝ｆｌｏｏｒ（Ｚ＊Ｕ＿Ｎ＿ｓｅｒｖｉｎｇ，Ｚ＊Ｕ＿Ｎ＿ｍｅａｓｕｒｅｄ）  
Ｚは、時間依存圧縮モードパラメータ、たとえばＴＧＬ１であってよく、Ｕ＿Ｎ＿ｓｅｒｖｉｎｇは、サービングセルのＮに基づく単位であってよく、かつ／またはＵ＿Ｎ＿ｍｅａｓｕｒｅｄは、測定済みセルのＮに基づく単位であってよい。
【００７９】
たとえば、Ｎ＿ｓｅｒｖｉｎｇ＝１であり、Ｎ＿ｍｅａｓｕｒｅｄ＝２であるとすると、ＴＧＬ１＝７がシグナリングされた場合、Ｚ＊Ｕ＿Ｎ＿ｓｅｒｖｉｎｇ＝７スロット（１スロット＝２／３ｍｓ）であり、Ｚ＊Ｕ＿Ｎ＿ｍｅａｓｕｒｅｄ＝７＊２／３＊２ｍｓである。サービングＮ＝１システムにおけるＵＥ接続を低下させるのを避けるために、この場合のＵＥは、ｆｌｏｏｒ（７＊２／３＊２，７＊２／３）ｍｓ＝７＊２／３の期間しか、測定にかかり得ない。
【００８０】
いくつかの実施形態は、コヒーレント長および／または非コヒーレント長を低減させるなど、探索パラメータを変え、修正し、または調節することを伴い得る。たとえば、７スロットなど、所与の送信ギャップ長の場合、周波数間セルのスロットとフレームタイミングとを判断するのに求められる探索プロシージャのためのコヒーレント長を低減させることにより、性能が向上され得る。低減コヒーレント長は、帯域幅スケーリング係数に依存し得る。たとえば、Ｎ＝２の場合、コヒーレント長は半分だけ低減され得る。いくつかの実施形態は、制御チャネル電力（たとえば、Ｐ−ＳＣＨ、Ｓ−ＳＣＨ、およびＣＰＩＣＨ電力）を増大することを含み得る。他のチャネル電力は、場合によっては、一定に保ち、増大し、または削減することができる。フレキシブル帯域幅セル向けの１つまたは複数の制御チャネル上での電力を増大させることにより、コヒーレント長の低減における性能損失を補償することができる。制御チャネル電力の増大の結果、制御チャネルＥｃ／Ｉｏ（Ｅｃ／Ｉｏは、受信チップエネルギーを、干渉プラスノイズで除算してものである）を改善することができ、これにより、制御チャネルの検出可能性を改善することができる。
【００８１】
単に例として、コヒーレント長の低減は、探索動作の１つまたは複数の部分についてのＤｃｈｉｐを削減することを伴ってよく、Ｄｃｈｉｐは、Ｎ（帯域幅スケーリング係数）個のチップを表す。たとえば、セル探索スロットタイミングプロシージャ中に、Ｘ個のＤｃｈｉｐにわたるコヒーレント累積は、Ｘ／２個のＤｃｈｉｐまで削減され得る。
【００８２】
いくつかの実施形態は、制御チャネル電力増大（たとえば、Ｐ−ＳＣＨ、Ｓ−ＳＣＨおよび／またはＣＰＩＣＨ）を利用することができ、これにより、低減コヒーレント長および／または非コヒーレント長を補償するのを助けることができる。実施形態の第１のセットでは、フレキシブル帯域幅セル（たとえば、Ｆ−ＵＭＴＳセル）上の総電力は、通常帯域幅セル（たとえば、ＵＭＴＳ）のものと比較して増大されてよく、この増大は、コヒーレント長を低減することに加え、Ｆ−ＵＭＴＳセルの電力スペクトル密度（ＰＳＤ）を増大させることを伴い得る。実施形態の第２のセットは、フレキシブル帯域幅セル（たとえば、Ｆ−ＵＭＴＳ）上の総電力を、通常帯域幅セル（たとえば、ＵＭＴＳ）上よりも低く保つことができる。単に例として、Ｎ＝２であるフレキシブル帯域幅セル上の総電力は、通常帯域幅セルよりも３ｄＢ低くてよい。ＰＳＤは、通常帯域幅セルに関して同じであり得るが、Ｐ−ＳＣＨ、Ｓ−ＳＣＨおよび／またはＣＰＩＣＨ上の電力を増大させることを伴い得る。この増大は、制御チャネルの間で電力を交換すること、たとえば、Ｓ−ＳＣＨからいくらかの電力をとり、その電力をＰ−ＳＣＨ上で与え、またはデータチャネルもしくは他の制御チャネルから電力をとることを伴い得る。実施形態の第３のセットは、Ｐ−ＳＣＨ、Ｓ−ＳＣＨおよび／またはＣＰＩＣＨ上でのみ電力を増大させたことにより、フレキシブル帯域幅セル（たとえば、Ｆ−ＵＭＴＳ）上の電力を増大させることを伴い得る。図７は、様々な実施形態による、これらの異なるシナリオセットの比較を示すテーブル７００を示す。テーブル７００に記載される異なるシナリオセット中で使用される具体的な値は、例示目的にすぎない。他の実施形態は他の値を利用することができる。
【００８３】
実施形態の第１のセットを参照すると、干渉制限シナリオにおいて、電力増大が、受信機における均等なＥｃ／Ｉｏ増大とはならない場合がある。たとえば、３ｄＢの総電力増大は、受信機における３ｄＢのＥｃ／Ｉｏ増大とはならない場合がある。実施形態の第２のセットを参照すると、受信信号コード電力（ＲＳＣＰ、すなわちセルカバレージの測度）はＵＭＴＳと同じでよいが、セルエッジにおけるＥｃ／Ｉｏはより高くてよく、たとえば、上で論じた例では３ｄＢ高くてよい。電力増大は、他の制御チャネルおよび／またはデータチャネルから生じ得る。いくつかの実施形態は、ＣＰＩＣＨ探索性能の低下を補償するためにデータチャネルから電力をとるのを避ける場合がある。実施形態の第３のセットの場合、Ｎ＝２フレキシブル帯域幅セル（たとえば、図７のＦ−ＵＭＴＳベースライン）中で残された余剰電力（たとえば、３ｄＢ）は、１つまたは複数の制御チャネル（たとえば、Ｐ−ＳＣＨ、Ｓ−ＣＨおよびＣＰＩＣＨ  Ｅｃ／Ｉｏ）におけるＥｃ／Ｉｏを高めるのに使うことができる。この改善により、コヒーレント長の低減とともに起こる性能変化を補償するのを助けることができる。Ｅｃ／Ｉｏの改善は、いくつかの事例では、ネットワーク再設計を伴い得る。
【００８４】
いくつかの実施形態は、送信ギャップパターンシーケンス内で送信ギャップパターンが起こる回数を増大させ得る。この増大は、ＴＰＲＣ長の増加を伴い得る。多重仮説（たとえば、異なる帯域幅スケーリング係数を使用する、フレキシブル帯域幅セルの探索）の影響を補償するために、ＴＰＲＣ長が増大されてよい。
【００８５】
いくつかの実施形態は、上で論じた実施形態の第２のセットのための実施形態のいくつかを用いて、総電力を増大することなく、Ｐ−ＳＣＨ、Ｓ−ＳＣＨおよびＣＰＩＣＨについてのＥｃ／Ｉｏｒを増大することができる。電力増大は、セル中の他のチャネル（たとえば、データチャネルおよび／またはＳ−ＳＣＨ）からであり得る。単に例として、Ｓ−ＳＣＨから、Ｅｃ／Ｉｏｒ＝−１５ｄＢは、Ｎ＝１でのＰ−ＳＣＨと同じ電力であってよく、Ｐ−ＳＣＨも、Ｅｃ／Ｉｏｒが−１２ｄＢなので同様である。単に例として、ＣＰＩＣＨ、すなわちデータチャネルからの電力を仮定する３ｄＢの電力増大（たとえば、Ｅｃ／Ｉｏｒ  ＤＰＣＨ＝−１６．７ｄＢ（総電力の２％）であるＤＰＣＨまたはＨＳ−ＰＤＳＣＨ）の場合、電力は複数のデータチャネル（たとえば、５つのデータチャネル）からとられることになる。これは、データスループットの１／２の削減または音声品質もしくはユーザ数の削減またはそれらの組合せにつながり得る。
【００８６】
いくつかの実施形態は、送信ギャップ長を増大することを含み得る。この増大は、たとえば、ＴＧＬ１などのＴＧＬについてのスロットの数を増大することにより送信ギャップ長（ＴＧＬ）を増大することを伴い得る。たとえば、フレキシブル帯域幅キャリアシステム（たとえば、Ｆ−ＵＭＴＳ）についての電力スペクトル密度（ＰＳＤ）は、通常帯域幅キャリアシステム（たとえば、ＵＭＴＳ）（共設可能）に関して同じでよく、ＴＧＬ１は、７スロットではなく１０スロットまで増大することができる。他の送信ギャップ長および／またはスロット番号増大が使用されてもよい。いくつかの実施形態は、通常帯域幅キャリアシステム（たとえば、ＵＭＴＳ）とフレキシブル帯域幅キャリアシステム（たとえば、Ｆ−ＵＭＴＳ）の両方に対して、構成された圧縮パターンシーケンスパラメータを使用し得る。図８は、様々な実施形態による送信ギャップサイズの増大の例８００を示す。例８００は、サービングセルが帯域幅スケーリング係数Ｎ＝１を有し、周波数間近接セルが帯域幅スケーリング係数Ｎ＝２およびＮ＝４のセルを有するときのフレーム持続時間のケースを示す。上で論じたように、ＵＥが、シグナリングされた圧縮モードパラメータを、サービングセルのスケーリング係数に基づいて解釈することが推奨される場合があり、したがって、ＴＧＬ１＝７スロットが、Ｎ＝１セル測定について正確な結果をもたらす場合、ＵＥがフレーム膨張によりセルＮ＝２およびＮ＝４内で測定を行うと、１０スロットまでのＴＧＬ１の増大が、同じ測定完全性を取得するのに求められ得る。
【００８７】
いくつかの実施形態は、ウィンドウサイズを削減することを伴い得る。たとえば、いくつかの実施形態は、通常帯域幅キャリアシステム（たとえば、ＵＭＴＳ）と同じＰＳＤを、フレキシブル帯域幅キャリアシステム（たとえば、Ｆ−ＵＭＴＳ）に使用し得る。いくつかの実施形態は、７スロットをもつＴＧＬ１など、同じ圧縮モードパラメータを、通常帯域幅システムに使用し得る。いくつかの実施形態は、セル探索コヒーレント累積中にウィンドウサイズを削減することを伴い得る。いくつかの実施形態は、測定されるべき周波数間フレキシブル帯域幅セルのタイミングをＲＮＣがＵＥにシグナリングすることを伴い得る。たとえば、近接セルのタイミング情報を用いて、いくつかの実施形態では、ＵＥは、コヒーレント累積のためのウィンドウサイズを半分削減することができる場合がある。いくつかの実施形態は、ウィンドウサイズ削減による損失を補償するために、Ｐ−ＳＣＨ、Ｓ−ＳＣＨおよび／またはＣＰＩＣＨなど、１つまたは複数の制御チャネルの電力増強を含み得る。
【００８８】
通常帯域幅セルとフレキシブル帯域幅セルの両方に１つの圧縮モードパラメータセットを使用することを伴う実施形態の場合、レガシー（非フレキシブル帯域幅）ＵＥは最小限に影響を受け得る。これは、ただ１つの構成がシグナリングされればよく、場合によってはただ１つの近接セルセット（たとえば、通常セルとＦ−ＵＭＴＳセルとを備える）がレガシーＵＥとフレキシブルＵＥの両方にシグナリングされればよいことによる。この場合、両方のタイプのＵＥが、Ｆ−ＵＭＴＳ周波数を測定することができる。フレキシブル帯域幅はＵＥを検出することができるが、レガシーＵＥはできない。さらに、標準メッセージが使われるので、レガシーＵＥおよびＵＴＲＡＮは、メッセージの新たな解釈を必要としなくてよい。さらに、レガシーＵＥは、通常帯域幅セルを仮定してセル探索パラメータを使うことができる。一方、上で論じたように、フレキシブル帯域幅ＵＥは、シグナリングされたパラメータを、パラメータがそこから受信されるセルの帯域幅スケーリング係数に基づいて解釈してよいが、測定されるべきセルの帯域幅スケーリング係数に基づいて探索パラメータを修正する必要はなくてよい。通常帯域幅セルとフレキシブル帯域幅セルの両方に１つの圧縮モードパラメータセットを使用することを伴う実施形態の場合、追加シグナリングは伴われなくてよい。
【００８９】
いくつかの実施形態は、ＵＥが圧縮ギャップ構成を作成することを含み、これらの構成は、通常帯域幅キャリアシステム用の圧縮ギャップ構成に対応するフレキシブル帯域幅キャリアシステム用に最適化され得る。いくつかの実施形態は、ＵＥが圧縮ギャップ構成を記憶することを含み、これらの構成は、通常帯域幅キャリアシステム用の圧縮ギャップ構成に対応するフレキシブル帯域幅キャリアシステム用に最適化され得る。いくつかの実施形態は、ＵＥが、通常セルを探索するための、基地局によって送信された圧縮ギャップ構成を圧縮ギャップ構成にマップすることを含み、これらの構成は、フレキシブル帯域幅セル用に最適化され、ＵＥに記憶され得る。
【００９０】
デバイス４００および４２５のいくつかの実施形態は、通常帯域幅キャリアシステム（たとえば、ＵＭＴＳ）およびフレキシブル帯域幅キャリアシステム（たとえば、Ｆ−ＵＭＴＳ）測定に、別個のＦＤＤ  ＣＭ測定を使用することができる。いくつかの実施形態は、同時フレキシブル（たとえば、Ｆ−ＵＭＴＳ）ＦＤＤ  ＣＭ測定構成と通常（たとえば、ＵＭＴＳ）ＦＤＤ  ＣＭ測定構成とを構成する。いくつかの実施形態は、Ｆ−ＵＭＴＳ  ＦＤＤ  ＣＭ測定構成に無効ＴＧＰＳＩを使用し得る。いくつかの実施形態は、異なる時間に使われる別個の構成（時間共有構成）を可能にする。
【００９１】
いくつかの実施形態は、ＦＤＤ  ＴＧＭＰ用の２つの圧縮モードパラメータを構成することができる。第１のパラメータのセットは、ＵＭＴＳ用など、通常帯域幅キャリアシステムの測定に使用することができ、第２のパラメータのセットは、Ｆ−ＵＭＴＳなど、フレキシブル帯域幅キャリアシステムの測定に使用することができる。場合によっては、第２の構成が定義され得るがアクティブ化することができない間、第１の構成がアクティブであってよい。第２のギャップパターンシーケンスのアクティブ化は、測定制御メッセージの受信に基づき得る。
【００９２】
Ｆ−ＵＭＴＳ  ＵＥなどのフレキシブル帯域幅可能ＵＥは、第１の構成を、通常帯域幅（たとえば、ＵＭＴＳ）周波数間セル測定に、第２の構成を、フレキシブル帯域幅キャリアシステム（たとえば、Ｆ−ＵＭＴＳ）周波数間セル測定に使われるものとして解釈することができる。レガシーＵＥの場合、同じＴＧＭＰをもつ第２のギャップパターンシーケンスについてのアクティブ化の受信時に、ＵＥは、測定制御失敗パケットをネットワークに送ってよい。
【００９３】
いくつかの実施形態は、維持されるＦＤＤ構成を使用し得る。場合によっては、ＲＡＮによる（たとえば、ＵＴＲＡＮによる）、ＵＥからの測定制御失敗の受信は、ＵＥがレガシーデバイスであることを示し得る。場合によっては、最新の構成が間違っているので、レガシーＵＥは、フレキシブル帯域幅（たとえば、Ｆ−ＵＭＴＳ）セルを探索しなくてよい。測定するべき具体的なセルは、測定制御メッセージ中で、ＩＥ「測定用セル」によって示すことができる。いくつかの実施形態は、第２の測定制御メッセージおよび／または測定制御失敗パケットの送信による、ダウンリンクシグナリングおよびアップリンクシグナリングの増加を伴い得る。通常帯域幅キャリアシステム（たとえば、ＵＭＴＳ）周波数間圧縮ギャップ構成は、場合によっては最初に定義されてよい。図９は、様々な実施形態によるレガシーＵＥコールフロー９００の一例を示す。図１０は、様々な実施形態によるフレキシブル帯域幅対応ＵＥコールフロー１０００の一例を示す。
【００９４】
いくつかの実施形態は、１＜ＴＧＰＳＩ＜ｍａｘＴＧＰＳの範囲内でない（たとえば、Ｘ＞ｍａｘＴＧＰＳ）送信ギャップパターンシーケンス識別子（ＴＧＰＳＩ）を認めるように、ＲＡＮ（たとえば、ＵＴＲＡＮ）および／またはフレキシブル帯域幅可能ＵＥを修正してよい。いくつかの実施形態は、圧縮モード構成と、無効ＴＧＳＩでの測定アクティブ化とを送ることができる。レガシーＵＥは、失敗原因、すなわちプロトコルエラーとともに失敗メッセージをネットワークに送り得る。未確認シーケンスについての測定結果を受信したことに対する反応は、既存の測定結果に変化を与えない場合がある。フレキシブル帯域幅可能ＵＥは、構成と測定メッセージの両方を有効と見なし得る。いくつかの実施形態は、ＴＧＰＳＩなどのパラメータの範囲を変えることを伴い得る。ＴＧＰＳＩが間違っていると見なされるので、レガシーＵＥは、フレキシブル帯域幅（たとえば、Ｆ−ＵＭＴＳ）セルを測定しなくてよい。図１１は、様々な実施形態によるレガシーＵＥコールフロー１１００を示す。図１２は、様々な実施形態によるフレキシブル帯域幅対応ＵＥコールフロー１２００を示す。
【００９５】
いくつかの実施形態は、時間共有方式での、通常帯域幅セル（たとえば、ＵＭＴＳ）およびフレキシブル帯域幅セル（たとえば、Ｆ−ＵＭＴＳ）についての測定を可能にし得る。ＵＥ１１５は、通常／フレキシブル帯域幅セル測定のための構成を使えばよい。測定が完了すると、ネットワークは、ＵＥ１１５の構成を非アクティブ化してよく、次いで、圧縮モード構成と測定とを次のセル（通常／フレキシブル帯域幅セルいずれでも）用に構成しアクティブ化してよい。いかなる新たな解釈も、ＲＡＮ（たとえば、ＵＴＲＡＮ）およびＵＥによって必要とされなくてよい。フレキシブル帯域幅キャリアシステム（たとえば、Ｆ−ＵＭＴＳ）と通常帯域幅キャリアシステム（たとえば、ＵＭＴＳ）の両方に対して圧縮モード設定の最適化が必要である場合もない場合もある。レガシーＵＥとフレキシブル帯域幅可能ＵＥの両方が、フレキシブル帯域幅キャリアシステム周波数（たとえば、Ｆ−ＵＭＴＳ周波数）を探索することができる。性能（たとえば、スループット）低下は、通常帯域幅キャリアシステム（たとえば、ＵＭＴＳ）および／またはフレキシブル帯域幅キャリアシステム（たとえば、Ｆ−ＵＭＴＳ）測定目的のための複数の圧縮ギャップを、ＵＥが観察することを伴い得る。通常帯域幅キャリアシステム（たとえば、ＵＭＴＳ）圧縮モード測定がいつ行われ得るかに関する時間制約が取得されることができる。
【００９６】
図１３は、様々な実施形態による通信システム１３００のブロック図を示す。このシステム１３００は、図１に示されるシステム１００、図２Ａおよび図２Ｂのシステム２００−ａおよび２００−ｂ、図３のシステム３００ならびに／あるいは図１５のシステム１５００の態様の一例であり得る。基地局１０５−ｅは、アンテナ１３４５と、トランシーバモジュール１３５０と、メモリ１３７０と、プロセッサモジュール１３６５とを含むことができ、その各々は、（たとえば、１つまたは複数のバスを介して）互いに直接または間接的に通信していることがある。トランシーバモジュール１３５０は、アンテナ１３４５を介して、マルチモードユーザ機器であり得るユーザ機器１１５−ｅと双方向に通信するように構成され得る。トランシーバモジュール１３５０（および／または基地局１０５−ｅの他の構成要素）はまた、１つまたは複数のネットワークと双方向に通信するように構成され得る。場合によっては、基地局１０５−ｅは、ネットワーク通信モジュール１３７５を通じてネットワーク１３０−ａおよび／またはコントローラ１２０−ａと通信し得る。基地局１０５−ｅは、ｅノードＢ基地局、ホームｅノードＢ基地局、ノードＢ基地局、および／またはホームノードＢ基地局の一例であり得る。コントローラ１２０−ａは、基地局１０５−ｅに、場合によっては、たとえばｅノードＢ基地局と統合されてよい。
【００９７】
基地局１０５−ｅは、基地局１０５−ｍおよび基地局１０５−ｎなど、他の基地局１０５と通信することもできる。基地局１０５の各々は、異なる無線アクセス技術など、異なるワイヤレス通信技術を使って、ユーザ機器１１５−ｅと通信することができる。場合によっては、基地局１０５−ｅは、基地局通信モジュール１３１５を使用して、１０５−ｍおよび／または１０５−ｎなど、他の基地局と通信することができる。いくつかの実施形態では、基地局通信モジュール１３１５は、基地局１０５のいくつかの間の通信を行うために、ＬＴＥワイヤレス通信技術内のＸ２インターフェースを与え得る。いくつかの実施形態では、基地局１０５−ｅは、コントローラ１２０−ａおよび／またはネットワーク１３０−ａを通じて、他の基地局と通信することができる。
【００９８】
メモリ１３７０は、ランダムアクセスメモリ（ＲＡＭ）と読取り専用メモリ（ＲＯＭ）とを含み得る。メモリ１３７０は、実行されるとプロセッサモジュール１３６５に本明細書で説明する様々な機能（たとえば、呼処理、データベース管理、メッセージルーティングなど）を実行させるように構成された命令を含んでいるコンピュータ可読、コンピュータ実行可能ソフトウェアコード１３７１も記憶し得る。代替的に、ソフトウェアコード１３７１は、プロセッサモジュール１３６５によって直接的に実行可能でないことがあるが、たとえば、コンパイルされ実行されると、コンピュータに本明細書で説明する機能を実行させるように構成され得る。
【００９９】
プロセッサモジュール１３６５は、たとえば、Ｉｎｔｅｌ（登録商標）ＣｏｒｐｏｒａｔｉｏｎまたはＡＭＤ（登録商標）製のものなどの中央演算処理装置（ＣＰＵ）、マイクロコントローラ、特定用途向け集積回路（ＡＳＩＣ）などのインテリジェントハードウェアデバイスを含み得る。プロセッサモジュール１３６５は、マイクロフォンを介してオーディオを受信し、そのオーディオを、受信したオーディオを表す（たとえば、長さ３０ｍｓの）パケットに変換し、そのオーディオパケットをトランシーバモジュール１３５０に供給し、ユーザが話しているかどうかの指示を与えるように構成された音声エンコーダ（図示せず）を含み得る。代替的に、エンコーダはパケットのみをトランシーバモジュール１３５０に供給し、パケット自体の供給または抑制／抑圧が、ユーザが話しているかどうかの指示を与え得る。
【０１００】
トランシーバモジュール１３５０は、パケットを変調し、変調されたパケットを送信のためにアンテナ１３４５に供給し、アンテナ１３４５から受信されたパケットを復調するように構成されたモデムを含み得る。基地局１０５−ｅのいくつかの例は単一のアンテナ１３４５を含み得るが、基地局１０５−ｅは、好ましくは、キャリアアグリゲーションをサポートし得る複数のリンクのための複数のアンテナ１３４５を含む。たとえば、ユーザ機器１１５−ｅとのマクロ通信をサポートするために１つまたは複数のリンクが使用され得る。
【０１０１】
図１３のアーキテクチャによると、基地局１０５−ｅは通信管理モジュール１３３０をさらに含み得る。通信管理モジュール１３３０は、他の基地局１０５との通信を管理し得る。例として、通信管理モジュール１３３０は、バスを介して基地局１０５−ｅの他の構成要素の一部またはすべてと通信している基地局１０５−ｅの構成要素であり得る。代替的に、通信管理モジュール１３３０の機能は、トランシーバモジュール１３５０の構成要素として、コンピュータプログラム製品として、および／またはプロセッサモジュール１３６５の１つもしくは複数のコントローラ要素として実装され得る。
【０１０２】
基地局１０５−ｅのための構成要素は、図４Ｃおよび図４Ｄのデバイス４３０および４３５に関して上記で説明した態様を実装するように構成され得、簡潔のためにここで繰り返さないことがある。たとえば、フレキシブル帯域幅キャリア圧縮モードモジュール４５０−ｂは、図４Ｃおよび図４Ｄのフレキシブル帯域幅キャリア圧縮モードモジュール４５０および４５０−ａの例であり得る。この点において、フレキシブル帯域幅キャリア圧縮モードモジュール４５０−ｂの送信電力モジュール４５１−ａ、送信ギャップパターンモジュール４５３−ａ、送信ギャップ長モジュール４５４−ａ、タイミングモジュール４５５−ａ、および／または追加パラメータモジュール４５６−ａは、図４Ｄに示す対応するモジュールの例であり得る。
【０１０３】
基地局１０５−ｅは、スペクトル識別モジュール１３２０も含み得る。スペクトル識別モジュール１３２０は、フレキシブル波形にとって利用可能なスペクトルを識別するのに使用することができる。いくつかの実施形態では、ハンドオーバモジュール１３２５が、ある基地局１０５から別の基地局へのユーザ機器１１５−ｅのハンドオーバプロシージャを実行するのに使用され得る。たとえば、ハンドオーバモジュール１３２５は、ある基地局１０５−ｅから別の基地局へのユーザ機器１１５−ｅのハンドオーバプロシージャを実行することができ、ここで、ユーザ機器１１５−ｅと基地局のうち１つとの間では通常波形が使用され、ユーザ機器と別の基地局との間ではフレキシブル波形が使用される。スケーリングモジュール１３１０は、フレキシブル波形を生成するようにチップレートをスケーリングし、かつ／または変更するために使用することができる。
【０１０４】
いくつかの実施形態では、アンテナ１３４５と連結されたトランシーバモジュール１３５０は、基地局１０５−ｅの他の可能構成要素とともに、フレキシブル波形および／または帯域幅スケーリング係数などの情報を、ユーザ機器１１５−ｅに、他の基地局１０５−ｍ／１０５−ｎ、またはコアネットワーク１３０−ａに、これらのデバイスまたはシステムがフレキシブル波形を使用することができるように送信することができる。いくつかの実施形態では、アンテナ１３４５と連結された送受信機モジュール１３５０は、基地局１０５−ｅの他の可能構成要素とともに、フレキシブル波形および／または帯域幅スケーリング係数などの情報を、ユーザ機器１１５−ｅに、他の基地局１０５−ｍ／１０５−ｎ、またはコアネットワーク１３０−ａに、これらのデバイスまたはシステムがフレキシブル波形を使用することができるように送信することができる。さらに、いくつかの実施形態では、アンテナ１３４５と連結されたトランシーバモジュール１３５０は、基地局１０５−ｅの他の可能構成要素とともに、フレキシブル帯域幅キャリアシステムのためおよび／または通常帯域幅キャリアシステムのための周波数間測定を容易にするために識別された１つまたは複数のパラメータなどの情報を、ユーザ機器１１５−ｅに、他の基地局１０５−ｍ／１０５−ｎ、またはコアネットワーク１３０−ａに、これらのデバイスまたはシステムがフレキシブル波形を使用することができるように送信することができる。
【０１０５】
図１４は、様々な実施形態によるフレキシブル帯域幅キャリアシステムのための周波数間測定用に構成されたユーザ機器１１５−ｆのブロック図１４００である。ユーザ機器１１５−ｆは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど、様々な構成のいずれかを有し得る。ユーザ機器１１５−ｆは、モバイル動作を可能にするために、小型バッテリーなどの内部電源（図示せず）を有し得る。いくつかの実施形態では、ユーザ機器１１５−ｆは、図１、図２Ａ、図２Ｂ、図３、図１３、および／または図１５のユーザ機器１１５、ならびに／あるいは図４Ａおよび図４Ｂのデバイス４００および４２５であってよい。ユーザ機器１１５−ｆはマルチモードユーザ機器であってよい。ユーザ機器−ｆは、場合によってはワイヤレス通信デバイスまたはユーザ機器と呼ばれ得る。
【０１０６】
ユーザ機器１１５−ｆは、アンテナ１４４０と、トランシーバモジュール１４５０と、メモリ１４８０と、プロセッサモジュール１４７０とを含み得、その各々は、（たとえば、１つまたは複数のバスを介して）互いに直接または間接的に通信していることがある。トランシーバモジュール１４５０は、上記で説明したように、アンテナ１４４０および／または１つもしくは複数のワイヤードもしくはワイヤレスリンクを介して、１つまたは複数のネットワークと双方向に通信するように構成され得る。たとえば、トランシーバモジュール１４５０は、図１、図２Ａおよび図２Ｂ、図３、図１３、ならびに／あるいは図１５の基地局１０５と双方向に通信するように構成され得る。トランシーバモジュール１４５０は、パケットを変調し、変調されたパケットを送信のためにアンテナ１４４０に供給し、アンテナ１４４０から受信されたパケットを復調するように構成されたモデムを含み得る。ユーザ機器１１５−ｆは単一のアンテナを含み得るが、ユーザ機器１１５−ｆは通常、複数のリンクのための複数のアンテナ１４４０を含む。
【０１０７】
メモリ１４８０は、ランダムアクセスメモリ（ＲＡＭ）と読取り専用メモリ（ＲＯＭ）とを含み得る。メモリ１４８０は、実行されるとプロセッサモジュール１４７０に本明細書で説明する様々な機能（たとえば、呼処理、データベース管理、メッセージルーティングなど）を実行させるように構成された命令を含んでいるコンピュータ可読、コンピュータ実行可能ソフトウェアコード１４９５を記憶し得る。代替的に、ソフトウェアコード１４９５は、プロセッサモジュール１４７０によって直接的に実行可能でないことがあるが、（たとえば、コンパイルされ実行されると）コンピュータに本明細書で説明する機能を実行させるように構成され得る。
【０１０８】
プロセッサモジュール１４７０は、たとえば、Ｉｎｔｅｌ（登録商標）ＣｏｒｐｏｒａｔｉｏｎまたはＡＭＤ（登録商標）製のものなどの中央演算処理装置（ＣＰＵ）、マイクロコントローラ、特定用途向け集積回路（ＡＳＩＣ）などのインテリジェントハードウェアデバイスを含み得る。プロセッサモジュール１４７０は、マイクロフォンを介してオーディオを受信し、そのオーディオを、受信したオーディオを表す（たとえば、長さ３０ｍｓの）パケットに変換し、そのオーディオパケットをトランシーバモジュール１４５０に供給し、ユーザが話しているかどうかの指示を与えるように構成された音声エンコーダ（図示せず）を含み得る。代替的に、エンコーダはパケットのみをトランシーバモジュール１４５０に供給し、パケット自体の供給または抑制／抑圧が、ユーザが話しているかどうかの指示を与え得る。
【０１０９】
図１４のアーキテクチャによれば、ユーザ機器１１５−ｆは通信管理モジュール１４６０をさらに含み得る。通信管理モジュール１４６０は、他のユーザ機器１１５との通信を管理し得る。例として、通信管理モジュール１４６０は、バスを介してユーザ機器１１５−ｆの他の構成要素の一部またはすべてと通信しているユーザ機器１１５−ｆの構成要素であり得る。代替的に、通信管理モジュール１４６０の機能性は、トランシーバモジュール１４５０の構成要素として、コンピュータプログラム製品として、および／またはプロセッサモジュール１４７０の１つもしくは複数のコントローラ要素として実装され得る。
【０１１０】
ユーザ機器１１５−ｆのための構成要素は、図４Ａおよび図４Ｂのデバイス４００および４２５に関して上記で説明した態様を実装するように構成され得、簡潔のためにここで繰り返さないことがある。フレキシブル帯域幅キャリア圧縮モードモジュール４１０−ｂは、図４Ａおよび図４Ｂのフレキシブル帯域幅キャリア圧縮モードモジュール４１０および４１０−ａの例であり得る。この点において、フレキシブル帯域幅キャリア圧縮モードモジュール４１０−ｂのセル探索コヒーレント累積長モジュール４１１−ａ、セル探索非コヒーレント累積長モジュール４１２−ａ、送信ギャップパターンモジュール４１３−ａ、送信ギャップ長モジュール４１４−ａ、および／またはタイミングモジュール４１５−ａは、図４Ｂに示す対応するモジュールの例であり得る。周波数間探索モジュール４１６−ａは、図４Ａおよび図４Ｂの周波数間探索モジュール４１６の例であり得る。
【０１１１】
ユーザ機器１１５−ｆは、スペクトル識別モジュール１４１５も含み得る。スペクトル識別モジュール１４１５は、フレキシブル波形にとって利用可能なスペクトルを識別するのに使用することができる。いくつかの実施形態では、ハンドオーバモジュール１４２５が、ある基地局から別の基地局へのユーザ機器１１５−ｆのハンドオーバプロシージャを実行するのに使用され得る。たとえば、ハンドオーバモジュール１４２５は、ある基地局から別の基地局へのユーザ機器１１５−ｆのハンドオーバプロシージャを実行することができ、ここで、ユーザ機器１１５−ｆと基地局のうち１つとの間では通常波形が使用され、ユーザ機器と別の基地局との間ではフレキシブル波形が使用される。スケーリングモジュール１４０は、フレキシブル波形を生成するようにチップレートをスケーリングし、かつ／または変更するために使用することができる。
【０１１２】
いくつかの実施形態では、アンテナ１４４０と連結されたトランシーバモジュール１４５０は、ユーザ機器１１５−ｆの他の可能構成要素とともに、フレキシブル波形および／または帯域幅スケーリング係数に関する情報を、ユーザ機器１１５−ｆから基地局またはコアネットワークに送信することができる。いくつかの実施形態では、アンテナ１４４０と連結されたトランシーバモジュール１４５０は、ユーザ機器１１５−ｆの他の可能構成要素とともに、基地局またはコアネットワークに、これらのデバイスまたはシステムがフレキシブル波形を使用することができるように、フレキシブル波形および／または帯域幅スケーリング係数などの情報を送信することができる。さらに、いくつかの実施形態では、アンテナ１４４０と連結されたトランシーバモジュール１４５０は、ユーザ機器１１５−ｆの他の可能構成要素とともに、フレキシブル帯域幅キャリアシステムのためおよび／または通常帯域幅キャリアシステムのための周波数間測定を容易にするための１つまたは複数のパラメータを識別するのに使うことができる情報を受信し得る。
【０１１３】
図１５は、様々な実施形態による、基地局１０５−ｆとユーザ機器１１５−ｇとを含むシステム１５００のブロック図である。このシステム１５００は、図１のシステム１００、図２Ａおよび図２Ｂのシステム２００−ａおよび２００−ｂ、図３のシステム３００ならびに／あるいは図１１のシステム１１００の一例であり得る。基地局１０５−ｆはアンテナ１５３４−ａ〜１５３４−ｘを装備することができ、ユーザ機器１１５−ｇはアンテナ１５５２−ａ〜１５５２−ｎを装備することができる。基地局１０５−ｆにおいて、送信機プロセッサ１５２０がデータソースからデータを受信し得る。
【０１１４】
送信機プロセッサ１５２０はデータを処理することができる。送信機プロセッサ１５２０はまた、基準シンボルとセル固有基準信号とを生成し得る。送信（ＴＸ）ＭＩＭＯプロセッサ１５３０が、適用可能な場合、データシンボル、制御シンボル、および／または基準シンボルに対して空間処理（たとえば、プリコーディング）を実施し得、出力シンボルストリームを送信変調器１５３２−ａ〜１５３２−ｘに与え得る。各変調器１５３２は、（たとえば、ＯＦＤＭなどのために）それぞれの出力シンボルストリームを処理して、出力サンプルストリームを取得し得る。各変調器１５３２はさらに、出力サンプルストリームを処理（たとえば、アナログへの変換、増幅、フィルタ処理、およびアップコンバート）して、ダウンリンク信号を取得し得る。一例では、変調器１５３２−ａ〜１５３２−ｘからのＤＬ信号は、それぞれアンテナ１５３４−ａ〜１５３４−ｘを介して送信され得る。送信機プロセッサ１５２０は、プロセッサ１５４０から情報を受信し得る。プロセッサ１５４０は、チップレートを変更し、かつ／または帯域幅スケーリング係数を使用することにより、フレキシブル波形を生成するように構成されてよく、この生成は、場合によっては動的に行われ得る。プロセッサ１５４０は、異なるアラインメントおよび／またはオフセットプロシージャも可能にし得る。プロセッサ１５４０は、スケーリングおよび／またはチップレート情報を使用して、他のサブシステムにおいて測定を実施し、他のサブシステムへのハンドオフを実施し、再選択を実行することなどができる。プロセッサ１５４０は、パラメータスケーリングを通したフレキシブル帯域幅の使用に関連付けられたタイムストレッチの効果を反転させることができる。いくつかの実施形態では、プロセッサ１５４０は、汎用プロセッサ、送信機プロセッサ１５２０、および／または受信機プロセッサ１５３８の一部として実装され得る。プロセッサ１５４０はメモリ１５４２と結合され得る。
【０１１５】
いくつかの実施形態では、プロセッサ１５４０および／またはＴｘプロセッサ１５２０は、フレキシブル帯域幅キャリアシステムのための周波数間測定用に構成され得る。たとえば、プロセッサ１５４０は、２つ以上の異なる帯域幅キャリアに対して周波数間探索を容易にするための１つまたは複数のパラメータを識別するために構成され得る。２つ以上の異なる帯域幅キャリアは、１つまたは複数のフレキシブル帯域幅セルと、１つまたは複数の通常帯域幅セルとを含み得る。１つまたは複数の識別されたパラメータは、圧縮モードパラメータ、探索パラメータ、および／またはタイミング情報を含み得る。１つまたは複数の識別されたパラメータは、１つまたは複数のフレキシブル帯域幅セルおよび／または通常帯域幅セルに対して周波数間測定を容易にするために、Ｔｘプロセッサ１５２０を通じて１つまたは複数のユーザ機器１１５−ｇに送信され得る。
【０１１６】
ユーザ機器１１５−ｇにおいて、ユーザ機器アンテナ１５５２−ａ〜１５５２−ｎは、基地局１０５−ｆからＤＬ信号を受信し、受信した信号をそれぞれ復調器１５５４−ａ〜１５５４−ｎに与え得る。各復調器１５５４は、それぞれの受信信号を調整（たとえば、フィルタ処理、増幅、ダウンコンバート、およびデジタル化）して、入力サンプルを取得し得る。各復調器１５５４は、さらに、（たとえば、ＯＦＤＭなどの）入力サンプルを処理して、受信シンボルを得ることができる。ＭＩＭＯ検出器１５５６は、すべての復調器１５５４−ａ〜１５５４−ｎから受信シンボルを取得し、適用可能な場合は受信シンボルに対してＭＩＭＯ検出を実施し、検出シンボルを与え得る。受信プロセッサ１５５８が、検出シンボルを処理（たとえば、復調、デインターリーブ、および復号）し、ユーザ機器１１５−ｇの復号されたデータをデータ出力に与え、復号された制御情報をプロセッサ１５８０、またはメモリ１５８２に与え得る。
【０１１７】
アップリンク（ＵＬ）上で、ユーザ機器１１５−ｇにおいて、送信機プロセッサ１５６４がデータソースからデータを受信し、処理し得る。送信機プロセッサ１５６４はまた、基準信号のための基準シンボルを生成し得る。送信機プロセッサ１５６４からのシンボルは、送信ＭＩＭＯプロセッサ１５６６によってプリコードされ、当てはまる場合は、復調器１５５４−ａ〜１５５４−ｎによって（たとえば、ＳＣ−ＦＤＭＡなど用に）さらに処理され、基地局１０５−ｆから受信された送信パラメータに従って基地局１０５−ｆに送信され得る。送信機プロセッサ１５６４は、チップレートを変更し、かつ／または帯域幅スケーリング係数を使用することにより、フレキシブル波形を生成するように構成されてもよく、この生成は、場合によっては動的に行われ得る。送信機プロセッサ１５６４は、プロセッサ１５８０から情報を受信し得る。プロセッサ１５８０は、異なるアラインメントおよび／またはオフセットプロシージャを可能にし得る。プロセッサ１５８０は、スケーリングおよび／またはチップレート情報を使用して、他のサブシステムにおいて測定を実施し、他のサブシステムへのハンドオフを実施し、再選択を実行することなどができる。プロセッサ１５８０は、パラメータスケーリングを通したフレキシブル帯域幅の使用に関連付けられたタイムストレッチの効果を反転させることができる。基地局１０５−ｆにおいて、ユーザ機器１１５−ｇからのＵＬ信号は、アンテナ１５３４によって受信され、復調器１５３２によって処理され、適用可能な場合はＭＩＭＯ検出器１５３６によって検出され、さらに受信プロセッサによって処理され得る。受信プロセッサ１５３８は、復号されたデータをデータ出力とプロセッサ１５８０とに与え得る。いくつかの実施形態では、プロセッサ１５８０は、汎用プロセッサ、送信機プロセッサ１５６４、および／または受信機プロセッサ１５５８の一部として実装され得る。
【０１１８】
いくつかの実施形態では、プロセッサ１５８０および／またはＲＸプロセッサ１５５８は、１つもしくは複数の識別されたパラメータを受信するため、または２つ以上の異なる帯域幅キャリアに対して周波数間探索を容易にするための１つもしくは複数のパラメータを識別するために構成され得る。２つ以上の帯域幅キャリアは、１つまたは複数のフレキシブル帯域幅セルと、１つまたは複数の通常帯域幅セルとを含み得る。場合によっては、プロセッサ１５８０は、一般に通常帯域幅セル用に使われるパラメータを増大し、または削減することによって、１つまたは複数の修正された探索パラメータを識別することができる。この識別は、メモリ１５８２に記憶されたデータから、および／またはメモリ１５８２に記憶されたパラメータのセットからパラメータを選択することによって、パラメータを判断することを含み得る。圧縮モードパラメータ、タイミング情報、および／または探索パラメータを含み得る１つまたは複数の識別されたパラメータは、プロセッサ１５８０によって、１つまたは複数のフレキシブル帯域幅セルおよび／または通常帯域幅セルに対して１つまたは複数の周波数間測定を実行するのに使用することができる。
【０１１９】
図１６Ａに移ると、様々な実施形態による、フレキシブル帯域幅キャリアシステムのための周波数間測定のための方法１６００のフローチャートが示されている。方法１６００は、図１、図２Ａ、図２Ｂ、図３、図１３、および／または図１５に見られる基地局１０５、図４Ｃに見られるデバイス４３０、ならびに／あるいは図４Ｄに見られるデバイス４３５を含むが、それに限定されない様々なワイヤレス通信デバイスを使用して実装することができる。いくつかの実施形態では、基地局１０５はコントローラ１２０を含む。いくつかの実施形態では、方法１６００は、図１に見られるコアネットワーク１３０および／またはコントローラ１２０、ならびに／あるいは図１３に見られるコアネットワーク１３０−ａおよび／またはコントローラ１２０−ａを含むが、それに限定されない様々なワイヤレス通信デバイスを使用して実装することができる。
【０１２０】
ブロック１６０５で、帯域幅がより高いキャリア上のＵＥについての周波数間測定を容易にするように構成され、２つ以上の異なる帯域幅キャリアに対して、より低い帯域幅セル上で周波数間測定を行う１つまたは複数のパラメータが識別されてよく、ここで帯域幅キャリアのうち少なくとも１つはフレキシブル帯域幅キャリアである。１つまたは複数の識別されたパラメータは、圧縮モードパラメータおよび／またはタイミング情報を含み得る。ネットワークによってシグナリングされた圧縮モードパラメータおよび／またはタイミング情報は、探索パラメータを判断するのに使うことができる。ブロック１６１０で、１つまたは複数の識別されたパラメータは、２つ以上の異なる帯域幅キャリアに対して周波数間測定を容易にするために、１つまたは複数のユーザ機器に送信され得る。いくつかの実施形態では、タイミング情報は、１つもしくは複数の識別されたパラメータとともに、または１つもしくは複数の識別されたパラメータの一部として、１つまたは複数のユーザ機器に送信されてもよい。
【０１２１】
方法１６００のいくつかの実施形態では、１つまたは複数のパラメータを識別することは、帯域幅キャリアのうち少なくとも１つはフレキシブル帯域幅キャリアである、２つ以上の異なる帯域幅キャリアに対して周波数間測定を容易にするための以下の態様、すなわち、１つもしくは複数のセル探索コヒーレント累積長を低減すること、１つもしくは複数のセル探索非コヒーレント累積長を低減すること、送信ギャップパターンの繰り返しの量を増大すること、送信ギャップの長さを増大すること、またはウィンドウサイズを縮小することのうち少なくとも１つを含み得る。
【０１２２】
方法１６００のいくつかの実施形態では、１つまたは複数のパラメータは、少なくとも１つまたは複数の圧縮モードパラメータまたはタイミング情報を含み得る。場合によっては、帯域幅キャリアのうち１つ、サービングセルは、フレキシブル帯域幅周波数間近接セルよりも帯域幅が大きい、通常帯域幅キャリアであってよい。
【０１２３】
方法１６００のいくつかの実施形態では、１つまたは複数の識別されたパラメータのうち別個のパラメータは、２つ以上の異なる帯域幅キャリアに対して周波数間測定を容易にするのに使用することができる。他の実施形態では、１つまたは複数の識別されたパラメータのうち同じ１つまたは複数のパラメータは、２つ以上の異なる帯域幅キャリアに対して周波数間測定を容易にするのに使用することができる。つまり、１つまたは複数の識別されたパラメータのうち同じ１つまたは複数のパラメータは、通常帯域幅キャリアに対して、およびフレキシブル帯域幅キャリアである帯域幅キャリアのうち少なくとも１つに対して、周波数間測定を容易にするのに使用することができる。両方のセルがフレキシブル帯域幅セルであるケースでは、１つまたは複数の識別されたパラメータのうち同じ１つまたは複数のパラメータは、より大きい帯域幅をもつフレキシブル帯域幅セルおよびより小さい帯域幅をもつフレキシブル帯域幅セルに対して周波数間測定を容易にするのに使用することができる。
【０１２４】
方法１６００のいくつかの実施形態は、ＵＥが圧縮ギャップ構成を作成することを含み、これらの構成は、通常帯域幅キャリアシステム用の圧縮ギャップ構成に対応するフレキシブル帯域幅キャリアシステム用に最適化され得る。いくつかの実施形態は、ＵＥが圧縮ギャップ構成を記憶することを含み、これらの構成は、通常帯域幅キャリアシステム用の圧縮ギャップ構成に対応するフレキシブル帯域幅キャリアシステム用に最適化され得る。いくつかの実施形態は、ＵＥが、通常セルを探索するための、基地局によって送信された圧縮ギャップ構成を圧縮ギャップ構成にマップすることを含み、これらの構成は、フレキシブル帯域幅セル用に最適化され、ＵＥに記憶され得る。
【０１２５】
方法１６００のいくつかの実施形態では、もう１つのパラメータを識別することは、通信デバイス（たとえば、基地局）内の記憶媒体に１つまたは複数のパラメータが記憶されるときに、１つまたは複数のパラメータを判断することを含み得る。
【０１２６】
図１６Ｂに移ると、様々な実施形態による、フレキシブル帯域幅キャリアシステムのための周波数間測定のための方法１６２０のフローチャートが示されている。上記の方法１６００のような方法１６２０は、図１、図２Ａ、図２Ｂ、図３、図１３、および／または図１５に見られる基地局１０５、図４Ｃに見られるデバイス４３０、ならびに／あるいは図４Ｄに見られるデバイス４３５を含むが、それに限定されない様々なワイヤレス通信デバイスを使用して実装することができる。いくつかの実施形態では、方法１６２０は、図１に見られるコアネットワーク１３０および／またはコントローラ１２０、ならびに／あるいは図１３に見られるコアネットワーク１３０−ａおよび／またはコントローラ１２０−ａを含むが、それに限定されない様々なワイヤレス通信デバイスを使用して実装することができる。方法１６２０は、図１６Ａの方法１６００の１つまたは複数の態様を含み得る。
【０１２７】
ブロック１６３５で、少なくとも１つのフレキシブル帯域幅キャリアを有する２つ以上の異なる帯域幅キャリアに対して周波数間探索を容易にするように構成された１つまたは複数のパラメータが、識別され得る。ブロック１６４０で、少なくとも１つのフレキシブル帯域幅キャリアを有する２つ以上の異なる帯域幅キャリアに対して周波数間測定を容易にするために、送信ギャップの繰り返しの量が修正されてよく、かつ／または送信ギャップの長さが修正されてよい。
【０１２８】
ブロック１６４５で、１つまたは複数の識別されたパラメータが、少なくとも１つのフレキシブル帯域幅キャリアを有する２つ以上の異なる帯域幅キャリアに対して周波数間測定を容易にするために、１つまたは複数のユーザ機器に送信され得る。いくつかの実施形態では、タイミング情報は、１つもしくは複数の識別されたパラメータとともに、または１つもしくは複数の識別されたパラメータの一部として、１つまたは複数のユーザ機器に送信されてもよい。
【０１２９】
図１６Ｃに移ると、様々な実施形態による、フレキシブル帯域幅キャリアシステムのための周波数間測定のための方法１６５０のフローチャートが示されている。上記の方法１６００および１６２０のような方法１６５０は、図１、図２Ａ、図２Ｂ、図３、図１３、および／または図１５に見られる基地局１０５、図４Ｃに見られるデバイス４３０、ならびに／あるいは図４Ｄに見られるデバイス４３５を含むが、それに限定されない様々なワイヤレス通信デバイスを使用して実装することができる。いくつかの実施形態では、方法１６５０は、図１に見られるコアネットワーク１３０および／またはコントローラ１２０、ならびに／あるいは図１３に見られるコアネットワーク１３０−ａおよび／またはコントローラ１２０−ａを含むが、それに限定されない様々なワイヤレス通信デバイスを使用して実装することができる。方法１６５０は、図１６Ａの方法１６００の１つまたは複数の態様を含み得る。
【０１３０】
少なくとも１つのフレキシブル帯域幅キャリアを有する２つ以上の異なる帯域幅キャリアに対して周波数間測定を容易にするために、１つもしくは複数のセル探索コヒーレント累積長が削減されてよく、１つもしくは複数の非コヒーレント累積長が削減されてよく、かつ／またはウィンドウサイズが削減されてよい。ブロック１６６５で、少なくとも１つのフレキシブル帯域幅キャリアを有する２つ以上の異なる帯域幅キャリアに対して周波数間探索を容易にするように構成された１つまたは複数のパラメータが識別され得る。ブロック１６７０で、少なくとも１つのフレキシブル帯域幅キャリアを有する２つ以上の異なる帯域幅キャリアに対して周波数間測定を容易にするために、送信ギャップの繰り返しの量が増加されてよく、かつ／または送信ギャップの長さが増大されてよい。
【０１３１】
さらに、１つまたは複数の識別されたパラメータのうち同じパラメータが、少なくとも１つのフレキシブル帯域幅キャリア用に、および２つ以上の異なる帯域幅キャリアのうち任意の通常帯域幅キャリアまたは異なる帯域幅をもつ２つのフレキシブル帯域幅キャリア用に使われてよい。ブロック１６７５で、１つまたは複数の識別されたパラメータが、少なくとも１つのフレキシブル帯域幅キャリアを有する２つ以上の異なる帯域幅キャリアに対して周波数間測定を容易にするために、１つまたは複数のユーザ機器に送信され得る。いくつかの実施形態では、タイミング情報は、１つもしくは複数の識別されたパラメータとともに、または１つもしくは複数の識別されたパラメータの一部として、１つまたは複数のユーザ機器に送信されてもよい。
【０１３２】
図１７Ａに移ると、様々な実施形態による、フレキシブル帯域幅キャリアシステムのための周波数間測定のための方法１７００のフローチャートが示されている。いくつかの実施形態では、方法１７００は、図１、図２Ａ、図２Ｂ、図３、図１３、図１４、および／または図１５に見られるユーザ機器１１５、図４Ａに見られるデバイス４００、ならびに／あるいは図４Ｂに見られるデバイス４２５を含むが、それに限定されない様々なワイヤレス通信デバイスを使用して実装することができる。
【０１３３】
ブロック１７０５で、ユーザ機器において、２つ以上の異なる帯域幅キャリアに対して周波数間探索を容易にするように構成された１つまたは複数のパラメータが識別されてよく、帯域幅キャリアのうち少なくとも１つはフレキシブル帯域幅キャリアである。ＵＥは、圧縮モードパラメータとタイミング情報とを受信することができ、スケーリング係数、および／またはＵＥが周波数間測定を行っているセルの帯域幅についての、ネットワークから受信した情報に基づいて探索パラメータを判断してよい。ブロック１７１０で、１つまたは複数の識別されたパラメータは、２つ以上の異なる帯域幅キャリアに対して周波数間測定を実行するのに使用することができる。いくつかの実施形態では、タイミング情報は、１つまたは複数の識別されたパラメータとともに、周波数間測定を実行するのに使用することもできる。上述したように、タイミング情報は、１つまたは複数の識別されたパラメータの一部であり得る。
【０１３４】
方法１７００のいくつかの実施形態では、１つまたは複数のパラメータを識別することは、帯域幅キャリアのうち少なくとも１つはフレキシブル帯域幅キャリアである、２つ以上の異なる帯域幅キャリアに対して周波数間測定を容易にするための以下の態様、すなわち、１つもしくは複数のセル探索コヒーレント累積長を低減すること、１つもしくは複数の非コヒーレント累積長を低減すること、送信ギャップパターンの繰り返しの量を修正すること、送信ギャップの長さを修正すること、またはウィンドウサイズを縮小することのうち少なくとも１つを含み得る。ＵＥは、これらのパラメータとタイミング情報とを、ネットワークから受信し得る。一般に、ＵＥは、たとえば、ネットワークから受信した圧縮モードパラメータと、近接セルのスケーリング係数とに基づいて、コヒーレント長と、非コヒーレント長と、ウィンドウサイズとを調節すると判断してよい。
【０１３５】
方法１７００のいくつかの実施形態では、１つまたは複数のパラメータは、少なくとも１つまたは複数の圧縮モードパラメータ、タイミング情報、または探索パラメータを含み得る。さらに、周波数間測定は、接続モードにあるときに実行することができる。いくつかの実施形態では、２つ以上の異なる帯域幅キャリアのうち１つは、通常帯域幅キャリアであってよい。他のケースでは、両方のセルがフレキシブル帯域幅セルであってよく、サービングセルは、フレキシブル帯域幅周波数間近接セルよりも高い、より大きい帯域幅をもつフレキシブル帯域幅セルであってよい。
【０１３６】
方法１７００のいくつかの実施形態では、１つまたは複数の識別されたパラメータのうち別個のパラメータは、２つ以上の異なる帯域幅キャリアに対して周波数間測定を容易にするのに使用することができる。これらの別個のパラメータは、同時にまたは別個の時間に使用されるように構成され得る。別個のパラメータが使われるとき、無効送信ギャップパターン識別子が、２つ以上の異なる帯域幅キャリアに対して周波数間探索を容易にするのに使用され得る。さらに、無効送信ギャップパターン識別子は、フレキシブル帯域幅パラメータを示すのに使うことができ、無効送信ギャップパターン識別子に対するＵＥの反応に基づいて、ネットワークは、レガシーユーザ機器を識別することができる。他の実施形態では、１つまたは複数の識別されたパラメータのうち同じ１つまたは複数のパラメータは、２つ以上の異なる帯域幅キャリアに対して周波数間測定を容易にするのに使用することができる。つまり、１つまたは複数の識別されたパラメータのうち同じパラメータは、通常帯域幅キャリアに対して、およびフレキシブル帯域幅キャリアである帯域幅キャリアのうち少なくとも１つに対しても、周波数間測定を容易にするのに使用することができる。両方のセルがフレキシブル帯域幅セルであるケースでは、１つまたは複数の識別されたパラメータのうち同じ１つまたは複数のパラメータは、より大きい帯域幅をもつフレキシブル帯域幅セルおよびより小さい帯域幅をもつフレキシブル帯域幅セルに対して周波数間測定を容易にするのに使用することができる。
【０１３７】
方法１７００のいくつかの実施形態では、もう１つのパラメータを識別することは、基地局からの送信の後、１つもしくは複数のパラメータを受信すること、および／または１つもしくは複数のパラメータが通信デバイス（たとえば、ＵＥ）内の記憶媒体に記憶されるとき、１つもしくは複数のパラメータを判断することを含み得る。いくつかの実施形態は、１つもしくは複数のフレキシブル帯域幅キャリアおよび／または１つもしくは複数の通常帯域幅キャリアのうち少なくとも１つに対して周波数間測定を実行するときに膨張時間で稼動する時刻ソース（たとえば、クロック）も有し得る。
【０１３８】
図１７Ｂに移ると、様々な実施形態による、フレキシブル帯域幅キャリアシステムのための周波数間測定のための方法１７２０のフローチャートが示されている。上記の方法１７００のような方法１７２０は、図１、図２Ａ、図２Ｂ、図３、図１３、図１４、および／または図１５に見られるユーザ機器１１５、図４Ａに見られるデバイス４００、ならびに／あるいは図４Ｂに見られるデバイス４２５を含むが、それに限定されない様々なワイヤレス通信デバイスを使用して実装することができる。方法１７２０は、図１７Ａの方法１７００の１つまたは複数の態様を含み得る。
【０１３９】
ブロック１７２０で、１つもしくは複数のフレキシブル帯域幅キャリアに対して、および／または１つもしくは複数の通常帯域幅キャリアに対して周波数間探索を容易にするように構成され得る１つまたは複数のパラメータが、判断され、受信され、および／または選択され得る。１つまたは複数のパラメータは、圧縮モードパラメータ、探索パラメータ、および／またはタイミング情報を含み得る。
【０１４０】
ブロック１７２５で、１つまたは複数のパラメータの一部分が、１つまたは複数のフレキシブル帯域幅キャリアに対して１つまたは複数の周波数間測定を実行するのに使用され得る。ブロック１７３０で、１つまたは複数のパラメータの異なる部分が、１つまたは複数の通常帯域幅に対して１つまたは複数の周波数間測定を実行するのに使用され得る。いくつかの実施形態では、タイミング情報は、１つまたは複数のパラメータとともに、周波数間測定を実行するのに使用することもできる。
【０１４１】
方法１７２０は、第１のフレキシブル帯域幅キャリアおよび第２のフレキシブル帯域幅キャリアに対して、１つまたは複数の周波数間測定を実行するのに適用されてもよい。フレキシブル帯域幅キャリアのうち１つは、他のフレキシブル帯域幅キャリアよりも大きい帯域幅を有し得る。
【０１４２】
図１７Ｃに移ると、様々な実施形態による、フレキシブル帯域幅キャリアシステムのための周波数間測定のための方法１７５０のフローチャートが示されている。上記の方法１７００および１７２０のような方法１７５０は、図１、図２Ａ、図２Ｂ、図３、図１３、図１４、および／または図１５に見られるユーザ機器１１５、図４Ａに見られるデバイス４００、ならびに／あるいは図４Ｂに見られるデバイス４２５を含むが、それに限定されない様々なワイヤレス通信デバイスを使用して実装することができる。方法１７５０は、図１７Ａの方法１７００の１つまたは複数の態様を含み得る。
【０１４３】
ブロック１７６０で、少なくとも１つのフレキシブル帯域幅キャリアを有する２つ以上の異なる帯域幅キャリアに対して周波数間探索を容易にするように構成された１つまたは複数のパラメータが、識別され得る。ブロック１７７０で、少なくとも１つのフレキシブル帯域幅キャリアを有する２つ以上の異なる帯域幅キャリアに対して周波数間測定を容易にするために、１つもしくは複数のセル探索コヒーレント累積長が削減されてよく、１つもしくは複数のセル探索非コヒーレント累積長が削減されてよく、かつ／またはウィンドウサイズが削減されてよい。少なくとも１つのフレキシブル帯域幅キャリアを有する２つ以上の異なる帯域幅キャリアに対して周波数間測定を容易にするために、送信ギャップの繰り返しの量が増加されてよく、かつ／または送信ギャップの長さが増大されてよい。
【０１４４】
ブロック１７７５で、１つまたは複数の識別されたパラメータは、少なくとも１つのフレキシブル帯域幅キャリアを有する２つ以上の異なる帯域幅キャリアに対して周波数間測定を実行するのに使用され得る。いくつかの実施形態では、タイミング情報は、１つもしくは複数の識別されたパラメータとともに、または１つもしくは複数の識別されたパラメータの一部として、１つまたは複数のユーザ機器に送信されてもよい。
【０１４５】
添付の図面に関して上に記載された詳細な説明は、例示的な実施形態について説明しており、実装され得るまたは特許請求の範囲内に入る実施形態のみを表すものではない。この説明全体にわたって使用される「例示的」という用語は、「例、事例、または例示の働きをすること」を意味し、「好ましい」または「他の実施形態よりも有利な」を意味しない。詳細な説明は、説明される技法の理解を与えるために、具体的な詳細を含む。しかしながら、これらの技法は、これらの具体的な詳細なしに実施され得る。いくつかの事例では、説明される実施形態の概念を不明瞭にしないように、よく知られている構造およびデバイスがブロック図の形式で示される。
【０１４６】
情報および信号は、様々な異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表すことができ得る。
【０１４７】
本明細書の開示に関連して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェア構成要素、または本明細書で説明された機能を実行するように設計されたそれらの任意の組合せによって、実装または実施され得る。汎用プロセッサはマイクロプロセッサとすることができるが、代替として、プロセッサは任意の従来のプロセッサ、コントローラ、マイクロコントローラ、または状態機械とすることができる。プロセッサは、たとえばＤＳＰとマイクロプロセッサの組合せ、複数のマイクロプロセッサ、ＤＳＰコアと連係した１つまたは複数のマイクロプロセッサ、あるいは任意の他のそのような構成など、複数の計算デバイスの組合せとして実装することもできる。
【０１４８】
本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的な場所において実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１４９】
コンピュータ可読媒体は、ある場所から別の場所へのコンピュータプログラムの転送を支援する任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気ストレージデバイス、あるいは命令またはデータ構造の形態の所望のプログラムコード手段を搬送または記憶するために使用でき、汎用または専用コンピュータあるいは汎用または専用プロセッサによってアクセスできる、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【０１５０】
本開示の前述の説明は、当業者が本開示を作成または使用することができるように提供されたものである。本開示への様々な修正は当業者には容易に明らかであり、本明細書で定義した一般原理は、本開示の趣旨または範囲から逸脱することなく他の変形形態に適用できる。本開示全体にわたって、「例」または「例示的」という用語は、一例または一事例を示すものであり、言及した例についての選好を示唆せず、または必要としない。したがって、本開示は、本明細書で説明する例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
フレキシブル帯域幅キャリアシステムの周波数間測定のための方法であって、
ユーザ機器で、２つ以上の異なる帯域幅キャリアに対して前記周波数間測定を容易にするように構成された１つまたは複数のパラメータを識別することと、ここで、前記帯域幅キャリアのうち少なくとも１つは、フレキシブル帯域幅キャリアである、
前記２つ以上の異なる帯域幅キャリアに対して１つまたは複数の周波数間測定を実行するために、前記１つまたは複数の識別されたパラメータを使用することと
を備える方法。
［Ｃ２］
前記１つまたは複数のパラメータを識別することは、
前記２つ以上の異なる帯域幅キャリアに対して前記周波数間測定を容易にするために、１つまたは複数のセル探索コヒーレント累積長を低減することを備える、Ｃ１に記載の方法。
［Ｃ３］
前記１つまたは複数のパラメータを識別することは、
前記２つ以上の異なる帯域幅キャリアに対して前記周波数間測定を容易にするために、１つまたは複数のセル探索非コヒーレント累積長を低減することを備える、Ｃ１に記載の方法。
［Ｃ４］
前記１つまたは複数のパラメータを識別することは、
前記２つ以上の異なる帯域幅キャリアに対して前記周波数間測定を容易にするために、送信ギャップパターンの繰り返しの増加量を受信することを備える、Ｃ１に記載の方法。
［Ｃ５］
前記１つまたは複数のパラメータを識別することは、
前記２つ以上の異なる帯域幅キャリアに対して前記周波数間測定を容易にするために、送信ギャップ長の増大を受信することを備える、Ｃ１に記載の方法。
［Ｃ６］
前記１つまたは複数のパラメータを識別することは、
前記２つ以上の異なる帯域幅キャリアに対して前記周波数間測定を容易にするために、ウィンドウサイズを縮小することを備える、Ｃ１に記載の方法。
［Ｃ７］
前記１つまたは複数のパラメータを識別することは、少なくとも、
前記ＵＥで、通常帯域幅キャリアシステムのための１つまたは複数の圧縮されたギャップ構成に対応する、フレキシブル帯域幅キャリアシステムのための１つまたは複数の圧縮されたギャップ構成を作成することをさらに備える、Ｃ１に記載の方法。
［Ｃ８］
前記１つまたは複数のパラメータを識別することは、少なくとも、
前記ＵＥで、通常帯域幅キャリアシステムのための１つまたは複数の圧縮されたギャップ構成に対応する、フレキシブル帯域幅キャリアシステムのための１つまたは複数の圧縮されたギャップ構成を記憶することをさらに備える、Ｃ１に記載の方法。
［Ｃ９］
前記１つまたは複数のパラメータを識別することは、少なくとも、
前記ＵＥで、通常セルを探索するための、基地局によって送信された１つまたは複数の圧縮されたギャップ構成を、１つまたは複数のフレキシブル帯域幅セル用の１つまたは複数の他の圧縮されたギャップ構成にマップし、記憶することをさらに備える、Ｃ１に記載の方法。
［Ｃ１０］
前記１つまたは複数のパラメータは、少なくとも１つまたは複数の圧縮モードパラメータ、タイミング情報、または探索パラメータを含む、Ｃ１に記載の方法。
［Ｃ１１］
前記帯域幅キャリアのうち前記少なくとも１つは、通常帯域幅キャリアである、Ｃ１に記載の方法。
［Ｃ１２］
前記帯域幅キャリアのうち前記少なくとも１つは、近接セル内のフレキシブル帯域幅キャリアよりも高い帯域幅をもつ、サービングセル内のフレキシブル帯域幅キャリアを含む、Ｃ１に記載の方法。
［Ｃ１３］
前記周波数間測定は、接続モードにおいて実行される、Ｃ１に記載の方法。
［Ｃ１４］
前記１つまたは複数の識別されたパラメータを使用することは、
前記２つ以上の異なる帯域幅キャリアに対して前記周波数間測定を容易にするために、前記１つまたは複数の識別されたパラメータのうち別個のパラメータを使用することを備える、Ｃ１に記載の方法。
［Ｃ１５］
前記別個のパラメータは、同じ時間に、または別個の時間に使用されるように構成される、Ｃ１４に記載の方法。
［Ｃ１６］
前記２つ以上の異なる帯域幅キャリアに対して前記周波数間測定を容易にするために、無効送信ギャップパターン識別子を使用することをさらに備える、Ｃ１４に記載の方法。
［Ｃ１７］
レガシーユーザ機器を識別するために、前記無効送信ギャップパターン識別子を使用することをさらに備える、Ｃ１６に記載の方法。
［Ｃ１８］
前記１つまたは複数の識別されたパラメータを使用することは、
前記２つ以上の異なる帯域幅キャリアに対して前記周波数間測定を容易にするために、前記１つまたは複数の識別されたパラメータのうち同じ１つまたは複数のパラメータを使用することを備える、Ｃ１に記載の方法。
［Ｃ１９］
前記もう１つのパラメータを識別することは、
前記１つまたは複数のパラメータを受信することを備え、前記１つまたは複数のパラメータは、基地局から送信される、Ｃ１に記載の方法。
［Ｃ２０］
前記もう１つのパラメータを識別することは、
前記１つまたは複数のパラメータを判断することを備え、前記１つまたは複数のパラメータが前記ユーザ機器の記憶媒体に記憶される、Ｃ１に記載の方法。
［Ｃ２１］
前記１つまたは複数のパラメータを使用することは、
通常帯域幅キャリアに対して、およびフレキシブル帯域幅キャリアである前記帯域幅キャリアのうち前記少なくとも１つに対して、前記周波数間測定を容易にするために、前記１つまたは複数の識別されたパラメータのうち同じ１つまたは複数のパラメータを使用することを備える、Ｃ１に記載の方法。
［Ｃ２２］
前記２つ以上の異なる帯域幅キャリアのうち少なくとも１つに対して前記周波数間測定を実行するとき、膨張時間で時刻ソースを稼動することをさらに備える、Ｃ１に記載の方法。
［Ｃ２３］
２つ以上の異なる帯域幅キャリアに対して周波数間測定を容易にするように構成された１つまたは複数のパラメータを識別するための手段と、ここで、前記帯域幅キャリアのうち少なくとも１つがフレキシブル帯域幅キャリアである、
前記２つ以上の異なる帯域幅キャリアに対して１つまたは複数の周波数間測定を実行するために、前記１つまたは複数の識別されたパラメータを使用するための手段と
を備えるワイヤレス通信システム。
［Ｃ２４］
前記１つまたは複数のパラメータを識別するための前記手段は、
前記２つ以上の異なる帯域幅キャリアに対して前記周波数間測定を容易にするために、１つもしくは複数のセル探索コヒーレント累積長を低減するための手段、
前記２つ以上の異なる帯域幅キャリアに対して前記周波数間測定を容易にするために、１つもしくは複数のセル探索非コヒーレント累積長を低減するための手段、
前記２つ以上の異なる帯域幅キャリアに対して前記周波数間測定を容易にするために、送信ギャップパターンの繰り返しの量を増大するための手段、
前記２つ以上の異なる帯域幅キャリアに対して前記周波数間測定を容易にするために、送信ギャップの長さを増大させるための手段、または
前記２つ以上の異なる帯域幅キャリアに対して前記周波数間測定を容易にするために、ウィンドウサイズを縮小するための手段のうち少なくとも１つを備える、Ｃ２３に記載のワイヤレス通信システム。
［Ｃ２５］
前記１つまたは複数の識別されたパラメータを使用するための前記手段は、
前記２つ以上の異なる帯域幅キャリアに対して前記周波数間測定を容易にするために、前記１つまたは複数の識別されたパラメータのうち別個のパラメータを使用するための手段を備える、Ｃ２３に記載のワイヤレス通信システム。
［Ｃ２６］
前記１つまたは複数の識別されたパラメータを使用するための前記手段は、
前記２つ以上の異なる帯域幅キャリアに対して前記周波数間測定を容易にするために、前記１つまたは複数の識別されたパラメータのうち同じ１つまたは複数のパラメータを使用するための手段を備える、Ｃ２３に記載のワイヤレス通信システム。
［Ｃ２７］
前記もう１つのパラメータを識別するための前記手段は、
前記１つまたは複数のパラメータが基地局から送信されるときに、前記１つもしくは複数のパラメータを受信するための手段、または
前記１つもしくは複数のパラメータが前記ワイヤレス装置の記憶媒体に記憶されるときに、前記１つもしくは複数のパラメータを判断するための手段のうち少なくとも１つを備える、Ｃ２３に記載のワイヤレス通信システム。
［Ｃ２８］
メモリと通信可能に結合された少なくとも１つのプロセッサを備えるワイヤレス通信デバイスであって、前記メモリが実行可能コードを備え、前記コードは、前記少なくとも１つのプロセッサによって実行されると、前記少なくとも１つのプロセッサに、
２つ以上の異なる帯域幅キャリアに対して周波数間測定を容易にするように構成された１つまたは複数のパラメータを識別することと、ここで前記帯域幅キャリアのうち少なくとも１つは、フレキシブル帯域幅キャリアである、
前記２つ以上の異なる帯域幅キャリアに対して１つまたは複数の周波数間測定を実行するために、前記１つまたは複数の識別されたパラメータを使用することと
を行わせる、ワイヤレス通信デバイス。
［Ｃ２９］
前記実行可能コードは、前記少なくとも１つのプロセッサに、
前記２つ以上の異なる帯域幅キャリアに対して前記周波数間測定を容易にするために、１つもしくは複数のセル探索コヒーレント累積長を低減すること、
前記２つ以上の異なる帯域幅キャリアに対して前記周波数間測定を容易にするために、１つもしくは複数のセル探索非コヒーレント累積長を低減すること、
前記２つ以上の異なる帯域幅キャリアに対して前記周波数間測定を容易にするために、送信ギャップパターンの繰り返しの量を増大すること、
前記２つ以上の異なる帯域幅キャリアに対して前記周波数間測定を容易にするために、送信ギャップの長さを増大すること、または
前記２つ以上の異なる帯域幅キャリアに対して前記周波数間測定を容易にするために、ウィンドウサイズを縮小することのうち少なくとも１つを実行させる、Ｃ２８に記載のワイヤレス通信デバイス。
［Ｃ３０］
前記実行可能コードは、前記少なくとも１つのプロセッサに、
前記２つ以上の異なる帯域幅キャリアに対して前記周波数間測定を容易にするために、前記１つまたは複数の識別されたパラメータのうち別個のパラメータを使用することを行わせる、Ｃ２８に記載のワイヤレス通信デバイス。
［Ｃ３１］
前記実行可能コードは、前記少なくとも１つのプロセッサに、
前記２つ以上の異なる帯域幅キャリアに対して前記周波数間測定を容易にするために、前記１つまたは複数の識別されたパラメータのうち同じ１つまたは複数のパラメータを使用することを行わせる、Ｃ２８に記載のワイヤレス通信デバイス。
［Ｃ３２］
前記実行可能コードは、前記少なくとも１つのプロセッサに、
前記１つまたは複数のパラメータが基地局から送信されると、前記１つもしくは複数のパラメータを受信すること、または
前記１つもしくは複数のパラメータが前記ワイヤレス通信デバイスの記憶媒体に記憶されると、前記１つもしくは複数のパラメータを判断することのうち少なくとも１つを実行させる、Ｃ２８に記載のワイヤレス通信デバイス。
［Ｃ３３］
非一時的コンピュータ可読媒体を備えるフレキシブル帯域幅キャリアシステムの周波数間測定のためのコンピュータプログラム製品であって、
前記非一時的コンピュータ可読媒体は、
ユーザ機器で、２つ以上の異なる帯域幅キャリアに対して周波数間測定を容易にするように構成された１つまたは複数のパラメータを識別するように構成されたコードと、ここで、前記帯域幅キャリアのうち少なくとも１つは、フレキシブル帯域幅キャリアである、
前記１つまたは複数の識別されたパラメータを使用して、前記２つ以上の異なる帯域幅キャリアに対して１つまたは複数の周波数間測定を実行するように構成されたコードと
を備える、コンピュータプログラム製品。
［Ｃ３４］
非一時的コンピュータ可読媒体は、
前記２つ以上の異なる帯域幅キャリアに対して前記周波数間測定を容易にするために、１つもしくは複数のセル探索コヒーレント累積長を低減するように構成されたコード、
前記２つ以上の異なる帯域幅キャリアに対して前記周波数間測定を容易にするために、１つもしくは複数のセル探索非コヒーレント累積長を低減するように構成されたコード、
前記２つ以上の異なる帯域幅キャリアに対して前記周波数間測定を容易にするために、送信ギャップパターンの繰り返しの量を増大するように構成されたコード、
前記２つ以上の異なる帯域幅キャリアに対して前記周波数間測定を容易にするために、送信ギャップの長さを増大するように構成されたコード、または
前記２つ以上の異なる帯域幅キャリアに対して前記周波数間測定を容易にするために、ウィンドウサイズを縮小するように構成されたコードのうち少なくとも１つをさらに備える、Ｃ３３に記載のコンピュータプログラム製品。
［Ｃ３５］
非一時的コンピュータ可読媒体が、
前記２つ以上の異なる帯域幅キャリアに対して前記周波数間測定を容易にするために、前記１つまたは複数の識別されたパラメータのうち別個のパラメータを使用するように構成されたコードをさらに備える、Ｃ３３に記載のコンピュータプログラム製品。
［Ｃ３６］
非一時的コンピュータ可読媒体は、
前記２つ以上の異なる帯域幅キャリアに対して前記周波数間測定を容易にするために、前記１つまたは複数の識別されたパラメータのうち同じ１つまたは複数のパラメータを使用するように構成されたコードをさらに備える、Ｃ３３に記載のコンピュータプログラム製品。
［Ｃ３７］
非一時的コンピュータ可読媒体は、
前記１つもしくは複数のパラメータが基地局から送信されると、前記１つもしくは複数のパラメータを受信するように構成されたコード、または
前記１つもしくは複数のパラメータが前記ユーザ機器の記憶媒体に記憶されると、前記１つもしくは複数のパラメータを判断するように構成されたコードのうち少なくとも１つをさらに備える、Ｃ３３に記載のコンピュータプログラム製品。
［Ｃ３８］
フレキシブル帯域幅キャリアシステムの周波数間測定のための方法であって、
２つ以上の異なる帯域幅キャリアに対して前記周波数間測定を容易にするように構成された１つまたは複数のパラメータを識別することと、ここで、前記帯域幅キャリアのうち少なくとも１つがフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信することと
を備える方法。
［Ｃ３９］
前記１つまたは複数のパラメータを識別することは、
前記２つ以上の異なる帯域幅キャリアに対して前記周波数間測定を容易にするために、１つまたは複数のセル探索コヒーレント累積長を低減することを備える、Ｃ３８に記載の方法。
［Ｃ４０］
前記１つまたは複数のパラメータを識別することは、
前記２つ以上の異なる帯域幅キャリアに対して前記周波数間測定を容易にするために、１つまたは複数の非コヒーレント累積長を低減することを備える、Ｃ３８に記載の方法。
［Ｃ４１］
前記１つまたは複数のパラメータを識別することは、
前記２つ以上の異なる帯域幅キャリアに対して前記周波数間測定を容易にするために、送信ギャップパターンの繰り返しの量を増大させることを備える、Ｃ３８に記載の方法。
［Ｃ４２］
前記１つまたは複数のパラメータを識別することは、
前記２つ以上の異なる帯域幅キャリアに対して周波数間測定を容易にするために、送信ギャップの長さを増大することを備える、Ｃ３８に記載の方法。
［Ｃ４３］
前記１つまたは複数のパラメータを識別することは、
前記２つ以上の異なる帯域幅キャリアに対して周波数間測定を容易にするために、ウィンドウサイズを縮小することを備える、Ｃ３８に記載の方法。
［Ｃ４４］
前記１つまたは複数の識別されたパラメータは、少なくとも１つまたは複数の圧縮モードパラメータ、タイミング情報、または探索パラメータを含む、Ｃ３８に記載の方法。
［Ｃ４５］
前記帯域幅キャリアのうち前記少なくとも１つは、通常帯域幅キャリアである、Ｃ３８に記載の方法。
［Ｃ４６］
前記１つまたは複数の識別されたパラメータのうち別個のパラメータは、前記２つ以上の異なる帯域幅キャリアに対して前記周波数間測定を容易にするように構成される、Ｃ３８に記載の方法。
［Ｃ４７］
前記１つまたは複数の識別されたパラメータのうち同じパラメータは、前記２つ以上の異なる帯域幅キャリアに対して前記周波数間測定を容易にするように構成される、Ｃ３８に記載の方法。
［Ｃ４８］
前記もう１つのパラメータを識別することは、
前記１つまたは複数のパラメータを判断することを備え、前記１つまたは複数のパラメータは、記憶媒体に記憶される、Ｃ３８に記載の方法。
［Ｃ４９］
前記１つまたは複数の識別されたパラメータのうち同じパラメータは、通常帯域幅キャリアに対して、およびフレキシブル帯域幅キャリアである前記帯域幅キャリアのうち前記少なくとも１つに対して、前記周波数間測定を容易にするように構成される、Ｃ３８に記載の方法。
［Ｃ５０］
２つ以上の異なる帯域幅キャリアに対して周波数間測定を容易にするように構成された１つまたは複数のパラメータを識別するための手段と、ここで、前記帯域幅キャリアのうち少なくとも１つがフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信するための手段と
を備える、ワイヤレス通信システム。
［Ｃ５１］
前記１つまたは複数のパラメータを識別するための前記手段は、
前記２つ以上の異なる帯域幅キャリアに対して前記周波数間測定を容易にするために、１つもしくは複数のセル探索コヒーレント累積長を低減するための手段、
前記２つ以上の異なる帯域幅キャリアに対して前記周波数間測定を容易にするために、１つもしくは複数のセル探索非コヒーレント累積長を低減するための手段、
前記２つ以上の異なる帯域幅キャリアに対して前記周波数間測定を容易にするために、送信ギャップパターンの繰り返しの量を増大するための手段、
前記２つ以上の異なる帯域幅キャリアに対して前記周波数間測定を容易にするために、送信ギャップの長さを増大するための手段、または
前記２つ以上の異なる帯域幅キャリアに対して前記周波数間測定を容易にするために、ウィンドウサイズを縮小するための手段のうち少なくとも１つを備える、Ｃ５０に記載のワイヤレス通信システム。
［Ｃ５２］
前記１つまたは複数の識別されたパラメータのうち別個のパラメータは、前記２つ以上の異なる帯域幅キャリアに対して前記周波数間測定を容易にするように構成される、Ｃ５０に記載のワイヤレス通信システム。
［Ｃ５３］
前記１つまたは複数の識別されたパラメータのうち同じパラメータは、前記２つ以上の異なる帯域幅キャリアに対して前記周波数間測定を容易にするように構成される、Ｃ５０に記載のワイヤレス通信システム。
［Ｃ５４］
メモリと通信可能に結合された少なくとも１つのプロセッサを備えるワイヤレス通信デバイスであって、前記メモリが実行可能コードを備え、前記コードが前記少なくとも１つのプロセッサによって実行されると、前記少なくとも１つのプロセッサに、
２つ以上の異なる帯域幅キャリアに対して周波数間測定を容易にするように構成された１つまたは複数のパラメータを識別することと、ここで、前記帯域幅キャリアのうち少なくとも１つがフレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信することと
を行わせる、ワイヤレス通信デバイス。
［Ｃ５５］
前記実行可能コードは、前記少なくとも１つのプロセッサに、
前記２つ以上の異なる帯域幅キャリアに対して前記周波数間測定を容易にするために、１つもしくは複数のセル探索コヒーレント累積長を低減すること、
前記２つ以上の異なる帯域幅キャリアに対して前記周波数間測定を容易にするために、１つもしくは複数のセル探索非コヒーレント累積長を低減すること、
前記２つ以上の異なる帯域幅キャリアに対して前記周波数間測定を容易にするために、送信ギャップパターンの繰り返しの量を増大すること、
前記２つ以上の異なる帯域幅キャリアに対して前記周波数間測定を容易にするために、送信ギャップの長さを増大すること、または
前記２つ以上の異なる帯域幅キャリアに対して前記周波数間測定を容易にするために、ウィンドウサイズを縮小することのうち少なくとも１つを実行させる、Ｃ５４に記載のワイヤレス通信デバイス。
［Ｃ５６］
前記１つまたは複数の識別されたパラメータのうち別個のパラメータは、前記２つ以上の異なる帯域幅キャリアに対して前記周波数間測定を容易にするように構成される、Ｃ５４に記載のワイヤレス通信デバイス。
［Ｃ５７］
前記１つまたは複数の識別されたパラメータのうち同じパラメータは、前記２つ以上の異なる帯域幅キャリアに対して前記周波数間測定を容易にするように構成される、Ｃ５４に記載のワイヤレス通信デバイス。
［Ｃ５８］
非一時的コンピュータ可読媒体を備えるフレキシブル帯域幅キャリアシステムの周波数間測定のためのコンピュータプログラム製品であって、
前記非一時的コンピュータ可読媒体は、
２つ以上の異なる帯域幅キャリアに対して前記周波数間測定を容易にするように構成された１つまたは複数のパラメータを識別するように構成されたコードと、ここで、前記帯域幅キャリアのうち少なくとも１つは、フレキシブル帯域幅キャリアである、
前記２つ以上の異なる帯域幅キャリアに対して前記周波数間測定を容易にするために、前記１つまたは複数の識別されたパラメータを１つまたは複数のユーザ機器に送信するように構成されたコードと
を備える、コンピュータプログラム製品。
［Ｃ５９］
前記非一時的コンピュータ可読媒体は、
前記２つ以上の異なる帯域幅キャリアに対して前記周波数間測定を容易にするために、１つもしくは複数のセル探索コヒーレント累積長を低減するように構成されたコード、
前記２つ以上の異なる帯域幅キャリアに対して前記周波数間測定を容易にするために、１つもしくは複数のセル探索非コヒーレント累積長を低減するように構成されたコード、
前記２つ以上の異なる帯域幅キャリアに対して前記周波数間測定を容易にするために、送信ギャップパターンの繰り返しの量を増大するように構成されたコード、
前記２つ以上の異なる帯域幅キャリアに対して前記周波数間測定を容易にするために、送信ギャップの長さを増大するように構成されたコード、または
前記２つ以上の異なる帯域幅キャリアに対して前記周波数間測定を容易にするために、ウィンドウサイズを縮小するように構成されたコードのうち少なくとも１つをさらに備える、Ｃ５８に記載のコンピュータプログラム製品。
［Ｃ６０］
前記１つまたは複数の識別されたパラメータのうち別個のパラメータは、前記２つ以上の異なる帯域幅キャリアに対して前記周波数間測定を容易にするように構成される、Ｃ５８に記載のコンピュータプログラム製品。
［Ｃ６１］
前記１つまたは複数の識別されたパラメータのうち同じパラメータは、前記２つ以上の異なる帯域幅キャリアに対して前記周波数間測定を容易にするように構成される、Ｃ５８に記載のコンピュータプログラム製品。
【図１】
0006009580.tif 000002
【図２Ａ】
0006009580.tif 000003
【図２Ｂ】
0006009580.tif 000004
【図３】
0006009580.tif 000005
【図４Ａ】
0006009580.tif 000006
【図４Ｂ】
0006009580.tif 000007
【図４Ｃ】
0006009580.tif 000008
【図４Ｄ】
0006009580.tif 000009
【図５】
0006009580.tif 000010
【図６】
0006009580.tif 000011
【図７】
0006009580.tif 000012
【図８】
0006009580.tif 000013
【図９】
0006009580.tif 000014
【図１０】
0006009580.tif 000015
【図１１】
0006009580.tif 000016
【図１２】
0006009580.tif 000017
【図１３】
0006009580.tif 000018
【図１４】
0006009580.tif 000019
【図１５】
0006009580.tif 000020
【図１６Ａ】
0006009580.tif 000021
【図１６Ｂ】
0006009580.tif 000022
【図１６Ｃ】
0006009580.tif 000023
【図１７Ａ】
0006009580.tif 000024
【図１７Ｂ】
0006009580.tif 000025
【図１７Ｃ】
0006009580.tif 000026